(57)【特許請求の範囲】
【請求項１】
制限年齢を定めている店舗に来店した来店者の顔画像に基づき該来店者の年齢を認証する年齢認証システムであって、
前記来店者の顔を撮像する撮像装置と、
該撮像装置により撮像された顔画像に基づいて来店者の年齢を推定し、推定した年齢が前記制限年齢に達しているか否か判定する年齢判定手段と、該年齢判定手段により前記制限年齢に達していないと判定されたことを条件として、前記制限年齢に達していない来店者である旨を報知する報知処理を行う報知処理手段と、を有する年齢認証装置と、
を備え、
前記年齢認証装置は、
前記年齢判定手段により前記制限年齢に達していると判定された来店者と、前記年齢判定手段により前記制限年齢に達していないと判定された来店者のうち前記制限年齢に達している旨の確認がとれた来店者と、から成る適正年齢来店者の顔画像データを登録するための登録手段と、
前記撮像装置により撮像された顔画像データについて、前記登録手段に登録されている適正年齢来店者の各顔画像データとの類似度を算出し、該算出した類似度が予め定められた類似判定閾値よりも類似性が高いことを示す値である類似顔画像データが登録されているか否かを判定する登録判定手段とを有し、
前記報知処理手段は、前記年齢判定手段により推定した年齢が前記制限年齢に達していないと判定され、かつ前記登録判定手段により前記類似顔画像データが登録されていないと判定されたことを条件として前記報知処理を行う、ことを特徴とする年齢認証システム。
【請求項２】
前記報知処理手段は、前記登録判定手段によって前記類似顔画像データが登録されていると判定されたことを条件として、当該類似顔画像データの顔画像とともに、前記撮像装置にて撮像した顔画像を表示する第二報知処理を行うことを特徴とする請求項１に記載の年齢認証システム。
【請求項３】
前記報知処理手段は、前記算出された類似度が、前記類似判定閾値よりも類似性が高い値に設定された同一判定閾値よりも類似性が高いことを示す値であるときには、前記第二報知処理を実施しないことを特徴とする請求項２に記載の年齢認証システム。
【請求項４】
前記年齢認証装置は、
前記第二報知処理にて表示した顔画像が同一人物である旨の入力を受付ける同一人物受付手段と、
前記同一人物受付手段にて同一人物である旨の入力を受付けたことを条件に、前記第二報知処理にて表示した前記撮像装置にて撮像された顔画像の顔画像データを、前記類似顔画像データの適正年齢来店者の顔画像データとして前記登録手段に追加登録する追加登録手段と、
を有することを特徴とする請求項２または３に記載の年齢認証システム。
【請求項５】
各店舗に設置された前記年齢認証装置とデータ通信可能に接続され、前記登録手段に登録されている顔画像データを各店舗の前記年齢認証装置から収集し、該収集した顔画像データを各店舗の年齢認証装置に対して配信する管理装置を備え、
前記年齢認証装置は、前記管理装置から配信される顔画像データを前記登録手段に追加登録することを特徴とする請求項１〜４のいずれかに記載の年齢認証システム。
【請求項６】
前記年齢認証装置は、
前記店舗の複数箇所に設置された撮像装置による撮像画像に基づき、前記来店者の位置である来店者位置を特定するための位置特定手段、を有し、
前記報知処理手段は、前記位置特定手段が特定した来店者位置を報知するための前記報知処理を行うことを特徴とする請求項１〜５のいずれかに記載の年齢認証システム。
【請求項７】
前記店舗には、来店者が遊技を行う遊技機が複数設置されるとともに、該遊技機に対応して報知装置が設けられ、
前記位置特定手段は、前記来店者位置として、前記来店者の存在する遊技機を特定し、
前記報知処理手段は、該位置特定手段により特定された遊技機に対応する報知装置に対して報知指示を送信する処理を前記報知処理として行う、
ことを特徴とする請求項６に記載の年齢認証システム。
【請求項８】
前記報知処理手段は、前記位置特定手段により特定された来店者位置を示す情報を店員の所持する端末装置に送信する処理を前記報知処理として行うことを特徴とする請求項６または７に記載の年齢認証システム。
【発明の詳細な説明】
【技術分野】
【０００１】
本発明は、年齢認証システムに関し、特に、制限年齢を定めている店に来店した来店者の顔画像に基づき該来店者の年齢を認証する年齢認証システムに関する。
【背景技術】
【０００２】
不特定多数の人の年齢を特定するものとしては、抽出された特徴量に基づいて記憶装置に記憶された第１の相関関係から、入力インターフェイスより入力された第三者の顔画像の実年齢を推定する年齢推定装置がある（例えば、特許文献１参照）。
【０００３】
【特許文献１】特開２００５−１４８８８０号公報
【発明の開示】
【発明が解決しようとする課題】
【０００４】
これら特許文献１に開示された発明を、制限年齢を定めている店（例えば、パチンコ遊技機やパチスロ遊技機が設置される遊技場など）で使用すれば、来店者の顔画像に基づいて年齢を推定して報知し、制限年齢に達していないと推定される来店者に年齢確認を行うことにより、制限年齢未満の入店を防止することができるものの、これら年齢推定装置により推定された年齢は制限年齢に達していなかったが、その後の年齢確認により制限年齢を満たしている旨の確認がとれた場合であっても、当該来店者（童顔の来店者）が再度来店したときには再び制限年齢に達していない年齢が推定され報知されることになってしまう。
【０００５】
その結果、これら童顔の来店者については、来店の度に年齢確認を求められることとなり、そのような来店者に対して不快感を与えてしまい、ひいては来場者の減少に繋がってしまうおそれがあるという問題がある。
【０００６】
本発明は、このような問題点に着目してなされたもので、同一の来店者に対して繰り返し年齢確認が行われ、当該来店者に不快感を与えてしまうという事態、並びにこれら不快感を与えることによる来店者の減少を回避することのできる年齢認証システムを提供することを目的とする。
【課題を解決するための手段】
【０００７】
上記課題を解決するために、本発明の請求項１に記載の年齢認証システムは、
制限年齢を定めている店舗（遊技場）に来店した来店者の顔画像に基づき該来店者の年齢を認証する年齢認証システムであって、
前記来店者の顔を撮像する撮像装置（入口カメラ６０ａおよび場内カメラ６０ｂ）と、
該撮像装置により撮像された顔画像に基づいて来店者の年齢を推定（ステップＳ３０２し、推定した年齢が前記制限年齢に達しているか否か判定（ステップＳ３０４）する年齢判定手段（ＣＰＵ２１）と、該年齢判定手段により前記制限年齢に達していないと判定されたことを条件として、前記制限年齢に達していない来店者である旨を報知する報知処理（ステップＳ３１８）を行う報知処理手段（ＣＰＵ２１）と、を有する年齢認証装置（顧客管理コンピュータ２０）と、
を備え、
前記年齢認証装置は、
前記年齢判定手段により前記制限年齢に達していると判定された来店者と、前記年齢判定手段により前記制限年齢に達していないと判定された来店者のうち前記制限年齢に達している旨の確認がとれた来店者と、から成る適正年齢来店者の顔画像データ（顔データ）を登録するための登録手段（メモリ２３）と、
前記撮像装置により撮像された顔画像データについて、前記登録手段に登録されている適正年齢来店者の各顔画像データとの類似度を算出し（ステップＳ３０５）、該算出した類似度が予め定められた類似判定閾値（８０）よりも類似性が高いことを示す値である類似顔画像データが登録されているか否か（Ｓ３０６；類似判定閾値以上である正面顔データが登録されているか否か）を判定する登録判定手段（ＣＰＵ２１）とを有し、
前記報知処理手段（ＣＰＵ２１）は、前記年齢判定手段により推定した年齢が前記制限年齢に達していないと判定され、かつ前記登録判定手段により前記類似顔画像データが登録されていないと判定されたことを条件として前記報知処理を行う、ことを特徴としている。
この特徴によれば、制限年齢に達していないと推定される来店者であっても、適正年齢来店者として顔画像データが登録されていれば、該登録されている顔画像データが類似顔画像データとして判定されることによって報知処理が実施されなくなるので、一旦、制限年齢に達している旨が特定できた来店者に対して繰り返し年齢確認が行われ、該来店者に不快感を与えてしまうという事態、並びにこれら不快感を与えることによる来店者の減少を回避できる。
【０００８】
本発明の請求項２に記載の年齢認証システムは、請求項１に記載の年齢認証システムであって、
前記報知処理手段（ＣＰＵ２１）は、前記登録判定手段（ＣＰＵ２１；Ｓ３０６）によって前記類似顔画像データが登録されていると判定されたことを条件として、当該類似顔画像データ（類似度が最も大きく類似判定閾値以上である正面顔データ）の顔画像とともに、前記撮像装置にて撮像した顔画像（正面顔データＦＤの顔画像）を表示する第二報知処理（ステップＳ３４３）を行うことを特徴としている。
この特徴によれば、撮像装置により撮像した顔画像と類似顔画像データの顔画像とが同一人物であるか否かを、当該来店者の所在場所に出向くことなく係員等が目視にて判断できるようになるので、来店者が適正年齢来店者であるか否かの判定精度を向上できるとともに、これら同一人物確認に要する負荷も低減することができる。
【０００９】
本発明の請求項３に記載の年齢認証システムは、請求項２に記載の年齢認証システムであって、
前記報知処理手段は、前記算出された類似度が、前記類似判定閾値（８０）よりも類似性が高い値に設定された同一判定閾値（９０）よりも類似性が高いことを示す値であるとき（同一判定閾値以上であるとき）には、前記第二報知処理（照合画面の表示）を実施しないことを特徴としている。
この特徴によれば、算出された類似度が同一判定閾値よりも類似性が高いことを示す値である場合、つまり、登録されていると判定された顔画像データの顔画像と撮像装置により撮像した顔画像とが、同一人物である可能性が著しく高い場合については第二報知処理が実施されないので、表示された顔画像が同一人物であるか否かを判断する係員等の手間を省くことができる。
【００１０】
本発明の請求項４に記載の年齢認証システムは、請求項２または３に記載の年齢認証システムであって、
前記年齢認証装置（顧客管理コンピュータ２０）は、
前記第二報知処理（ステップＳ３４３）にて表示した顔画像が同一人物である旨の入力を受付ける同一人物受付手段（ＣＰＵ２１；ステップＳ３４４、入力部２４）と、
前記同一人物受付手段にて同一人物である旨の入力（「同一人物」の選択操作部１１６の選択操作）を受付けたことを条件に、前記第二報知処理にて表示した前記撮像装置にて撮像された顔画像の顔画像データを、前記類似顔画像データの適正年齢来店者の顔画像データとして前記登録手段（メモリ２３）に追加登録する（Ｓ３４５）追加登録手段（ＣＰＵ２１；追加登録処理）と、
を有することを特徴としている。
この特徴によれば、１人の適正年齢来店者について、複数の顔画像データが登録されることにより、これら登録された各顔画像データとの類似度により登録判定手段による類似顔画像データの有無判定が実施されることになるので、これら登録判定手段による判定精度を向上できる。
【００１１】
本発明の請求項５に記載の年齢認証システムは、請求項１〜４のいずれかに記載の年齢認証システムであって、
各店舗に設置された前記年齢認証装置（顧客管理コンピュータ２０）とデータ通信可能に接続され、前記登録手段（メモリ２３）に登録されている顔画像データ（顔データ）を各店舗の前記年齢認証装置から収集し、該収集した顔画像データを各店舗の年齢認証装置に対して配信する管理装置（中央管理サーバ１５０）を備え、
前記年齢認証装置は、前記管理装置から配信される顔画像データを前記登録手段に追加登録することを特徴としている。
この特徴によれば、いずれかの店舗にて制限年齢に達している旨の確認がとれていれば、他の店舗においても適正年齢来店者であると判定されるようになるので、当該来店者が、他の店舗において年齢確認を再度受けることを極力解消でき、該来店者に不快感を与えてしまうという事態、並びにこれら不快感を与えることによる来店者の減少を、さらに回避できる。
【００１２】
本発明の請求項６に記載の年齢認証システムは、請求項１〜５のいずれかに記載の年齢認証システムであって、
前記年齢認証装置（顧客管理コンピュータ２０）は、
前記店舗の複数箇所に設置された撮像装置（場内カメラ６０ｂ）による撮像画像に基づき、前記来店者の位置である来店者位置を特定する（ステップＳ３５２）ための位置特定手段（ＣＰＵ２１）、を有し、
前記報知処理手段は、前記位置特定手段が特定した来店者位置を報知するための前記報知処理を行う（ステップＳ３５６およびステップＳ３５８）ことを特徴としている。
この特徴によれば、来店者位置が特定され、その位置が報知されるので、店は、制限年齢に達していないと推定される来店者を容易に特定でき、迅速に年齢確認を実施できる。
【００１３】
本発明の請求項７に記載の年齢認証システムは、請求項６に記載の年齢認証システムであって、
前記店舗には、来店者が遊技を行う遊技機（遊技機３０）が複数設置されるとともに、該遊技機に対応して報知装置（呼出ランプ５０）が設けられ、
前記位置特定手段は、前記来店者位置として、前記来店者の存在する遊技機を特定し（ステップＳ３５２）、
前記報知処理手段は、該位置特定手段により特定された遊技機に対応する報知装置に対して報知指示を送信する処理を前記報知処理として行う（ステップＳ３５６）、
ことを特徴としている。
この特徴によれば、来店者位置として遊技機が特定され、その遊技機に対応する報知装置に対して報知指示が送信されるので、フロア店員が年齢確認の必要な来店者を容易に特定でき、迅速に年齢確認を実施できる。
【００１４】
本発明の請求項８に記載の年齢認証システムは、請求項６または７に記載の年齢認証システムであって、
前記報知処理手段は、前記位置特定手段により特定された来店者位置を示す情報を店員の所持する端末装置（インカム７０）に送信する処理（ステップＳ３５８）を前記報知処理として行うことを特徴としている。
この特徴によれば、来店者位置が端末装置に送信されるので、店員が年齢確認の必要な来店者を容易に特定でき、迅速に年齢確認を実施できる。
【発明を実施するための最良の形態】
【００１５】
本発明の実施例を以下に説明する。尚、以下の実施例では、遊技機として封入循環式パチンコ遊技機（完全カード式パチンコ遊技機）を用いた例を示しているが、本発明は、これに限定されない。例えば、他の形式のパチンコ遊技機であってもよく、他の種類の遊技機（例えば、スロットマシンなど）であってもよい。
【実施例】
【００１６】
以下、本発明が適用された実施例の年齢認証システムについて説明する。
【００１７】
図１は、本実施例の年齢認証システムの全体構成を示すシステム構成図である。本実施例の年齢認証システムは、複数の店舗である各遊技場内に設置された本発明の年齢認証装置となる顧客管理コンピュータ２０と、各遊技場内に設置された複数台の遊技機３０と、遊技機３０それぞれに隣接して設置された複数のカード処理装置４０と、未成年であると推定された遊技者の位置その他の情報を報知するための、遊技機３０それぞれに付属して設置された複数の呼出ランプ５０と、来店者の顔を撮像するＣＣＤ（電荷結合デバイスの略）カメラである入口カメラ６０ａと、ＣＣＤカメラである場内カメラ６０ｂと、遊技場の店員が所持するインカム７０とから構成されている。入口カメラ６０ａおよび場内カメラ６０ｂは、来店する遊技者により目視により容易に認識されないような態様で（位置に）設けられており、該入口カメラ６０ａおよび場内カメラ６０ｂによって本発明の撮像装置が形成されている。
【００１８】
つまり、本実施例の各遊技場（店舗）には、来店者が遊技を行う遊技機３０が複数設置されるとともに、該遊技機３０に対応して本発明の報知装置となる呼出ランプ５０が設けられている。
【００１９】
これら各遊技場に設置されている遊技機３０、カード処理装置４０、呼出ランプ５０、入口カメラ６０ａ、場内カメラ６０ｂ、並びにインカム７０は、図１に示すように、顧客管理コンピュータ２０と双方向のデータ通信可能に接続されており、顧客管理コンピュータ２０とこれら各装置や機器との間において、データの送受信が可能とされている。
【００２０】
各遊技場に設置された顧客管理コンピュータ２０は、例えば、チェーン店である各遊技場を統括する本部等に設置された中央管理装置となる中央管理サーバ１５０と、通信回線を通じて双方向のデータ通信可能に接続されており、該中央管理サーバ１５０において、各遊技場にて制限年齢未満と推定された遊技者であって、制限年齢に達していると年齢確認がなされた遊技者（童顔遊技者）の顔画像が、集中管理されるとともに、各遊技場の顧客管理コンピュータ２０に対して配信されるようになっている。
【００２１】
各遊技場に設置された顧客管理コンピュータ２０は、年齢認証装置の一例であって、ＣＰＵ（Ｃｅｎｔｒａｌ Ｐｒｏｃｅｓｓｉｎｇ Ｕｎｉｔ）２１と、メモリ２３と、外部から情報を入力するためのキーボードやマウスなどの入力部２４と、画像、音声、あるいは印字などにより外部に情報を出力するための出力部２５と、入力部２４および出力部２５とＣＰＵ２１との間で情報を入出力するための入出力Ｉ／Ｆ２２と、通信Ｉ／Ｆ２６と、画像信号処理部２７と、時刻を特定する計時部２８とを含む。
【００２２】
メモリ２３には、後述する当日来店者テーブルＭ２および過去来店者テーブルＭ４等の種々のテーブルが設けられる。通信Ｉ／Ｆ２６は、複数台の遊技機３０，複数のカード処理装置４０，複数の呼出ランプ５０，入口カメラ６０ａ，インカム７０，および場内カメラ６０ｂを通信接続する。画像信号処理部２７は、通信Ｉ／Ｆ２６を介し入口カメラ６０ａおよび場内カメラ６０ｂから与えられる画像信号ＩＭＳ（画像信号ＩＭＳは、遊技者の被写体像を撮像して得られる。）が入力されると、該画像信号ＩＭＳから遊技者の顔データＦＤを得て、ＣＰＵ２１に出力する。
【００２３】
なお、画像信号処理部２７については図３において後述する。当日来店者テーブルＭ２および過去来店者テーブルＭ４の記憶内容については図６と図７において後述する。
【００２４】
インカム７０は、ＣＰＵ７１と、入出力Ｉ／Ｆ７２と、メモリ７３と、マイク７４と、スピーカ７５と、通信Ｉ／Ｆ７６とを含む。入出力Ｉ／Ｆ７２は、たとえば来店者が成人であるか否かの確認結果といった、店員による情報の入力を受付ける。スピーカ７５は音声を出力する。通信Ｉ／Ｆ７６は顧客管理コンピュータ２０との間で情報の通信を行う。
【００２５】
図２は、本実施の形態における入口カメラ６０ａおよび場内カメラ６０ｂの配置を示す図である。まず、本実施の形態における店舗である遊技場には、３箇所に入口が設けられるとともに、遊技場内には遊技機の一例であるパチンコ機３０が２列に５台ずつ併設されるとともに各遊技機３０の間にカード処理装置４０が設けられた遊技機設置島が複数設置されている。入口カメラ６０ａは、各入口に対応させて、各入口周辺を撮像するように設置されている。つまり、各入口カメラ６０ａは、撮像装置の一例であって、各入口から遊技場に入場する来店者（の顔）を撮像可能に設置されている。場内カメラ６０ｂは、撮像装置の一例であって、各遊技機設置島の間の通路の両端部に向かい合うように設置され、通路および通路を挟んで向かい合うすべての遊技機３０およびカード処理装置４０周辺を撮像可能とされ、遊技機３０にて遊技を行っている来店者（の顔）を撮像可能とされている。また、場内カメラ６０ｂの設置態様は、これに限定されるものではなく、例えば遊技機設置島の端部に設けられ、遊技者が獲得した玉を計数するジェットカウンタ周辺を撮像可能としたり、遊技者が獲得玉数を景品に交換する景品交換カウンタの周辺を撮像可能として、当該場内カメラ６０ｂの撮像画像に基づいて、ジェットカウンタ周辺や景品カウンタ周辺を来店者位置として特定するようにしてもよい。
【００２６】
図３は、画像信号処理部２７のブロック構成図である。この図３による顔データ抽出のための画像処理は、たとえば、特開平７−６５１４９号公報に詳述されるので、ここでは簡単に説明する。なお、被写体像を撮像して得られた画像信号から顔データを得るための方法は、図３に示されるものに限定されず、他の方法であってもよい。
【００２７】
本実施例の画像信号処理部２７は、遊技者の被写体像を撮像して得られた画像信号ＩＭＳを入力して処理し、被写体像の顔データを出力するために、画像メモリ１００、２値化処理部１０１、顔領域決定部１０２および顔データ抽出部１０３を含む。画像信号処理部２７に入力される画像信号ＩＭＳは、入口カメラ６０ａまたは場内カメラ６０ｂにより撮像して出力されたものである。
【００２８】
画像メモリ１００においては、画像信号ＩＭＳが逐次書込まれて記憶されるとともに、画像データＩＭＤとして読出されて、読出された画像データＩＭＤは２値化処理部１０１に与えられる。
【００２９】
２値化処理部１０１は、画像信号ＩＭＳを入力して、画像データＩＭＤを２値化処理するための所定しきい値を画像信号ＩＭＳのレベルに応じて検出して、検出された所定しきい値を用いて画像データＩＭＤを２値化処理して、２値化データとして出力する。
【００３０】
顔領域決定部１０２は、２値化処理部１０１から出力された２値化データをＸ軸方向に濃度投影（同じＸ座標の値を累積計算する）して、その結果による被写体像の水平位置を検出する。次に、求められた水平位置の区間内で同様にして２値化データをＹ軸方向に濃度投影（同じＹ座標の値を累積計算する）して、Ｙ座標の最上部を求める。これが、被写体像の頭頂座標となり、頭頂位置が検出される。
【００３１】
次に、頭頂位置をサーチ開始点として２値化された画像の領域を下方向にサーチすることで、被写体の頭幅のＸ座標が求まり、これにより顔候補位置が検出されて顔データ抽出部１０３に出力される。
【００３２】
最後に、顔データ抽出部１０３は、顔候補位置のデータについて画像信号ＩＭＳから検出したエッジ情報を調べる。具体的には、人体の顔特徴情報である頬の縦線および眉毛や目などの横線に相当する情報が、顔候補位置のデータに含まれているか分析して、含まれていれば、顔候補位置のデータを顔データＦＤとして出力する。本実施例の場合、顔データＦＤ（顔画像データ）は、顔の画像を示すデータであるが、そうではなく、目の間の距離その他の顔の特徴を示すデータであってもよい。
【００３３】
次に、カード処理装置４０における主要な制御回路の構成について説明する。図４は、カード処理装置４０の制御回路を示すブロック図である。
【００３４】
カード処理装置４０には、カードユニット制御用マイクロコンピュータ４１が設けられている。カードユニット制御用マイクロコンピュータ４１は、ＣＰＵ４２、ＲＯＭ（Ｒｅａｄ Ｏｎｌｙ Ｍｅｍｏｒｙ）４３、ＲＡＭ（Ｒａｎｄｏｍ Ａｃｃｅｓｓ Ｍｅｍｏｒｙ）４４、ＶＤＰ４５、ＶＲＡＭ（Ｖｉｄｅｏ Ｒａｎｄｏｍ Ａｃｃｅｓｓ Ｍｅｍｏｒｙ）４６、および、キャラクタＲＯＭ４７を含む制御回路である。カード処理装置４０は、貨幣を受付けて識別する貨幣識別機２０１と、会員登録を行った来店者（会員）に対して発行される会員カードを受付けて記録情報の読出しおよび書込みを行うカードリーダライタ２００と、遊技機３０、玉貸しボタン１１１および打込玉検出スイッチ１１８からの信号が入力されるとともに、顧客管理コンピュータ２０との通信を行う入出力インターフェイス２０２とをさらに含む。
【００３５】
会員カードには、各会員を個々に識別するための識別情報としての会員ＩＤと、遊技機３０での遊技に使用される玉（遊技媒体）の貸出しに使用されるカード残額が記録されている。
【００３６】
また、遊技機３０からは、大当たりの発生期間中に継続して出力される大当り信号と、遊技機が入賞に応じて賞球を１０個払出す毎に１パルス出力される賞球信号とが出力され、玉貸ボタン１１１からは、玉貸ボタン１１１が操作されたことに基づいて玉貸操作信号が出力され、打込玉検出スイッチからは、遊技機に打込まれた玉が１０個検出される毎に１パルス出力される打込玉検出信号が出力される。
【００３７】
ＣＰＵ４２は、ＲＯＭ４３に記憶された制御用のプログラムを読出すとともに、ＲＡＭ４４を作業領域として用いて制御用のプログラムを実行することにより、カード処理装置４０を動作させる各種制御を実行する。具体的には、受付けた会員カードに記録されたカード残額、または貨幣識別機２０１により識別された貨幣金額を使用して、玉貸操作信号の入力に応じて、遊技機３０に対して玉の貸出し（払出し）を指令する玉貸処理を行う。また、カードリーダライタ２００に会員カードを受付けたときに、該会員カードから読み出した会員ＩＤを、当該カード処理装置４０を識別するためのカード処理装置識別情報（ユニットＩＤ）とともに顧客管理コンピュータ２０に対して送信する処理を行う。さらに、大当り信号の入力に基づいて大当り回数を集計し、賞球信号の入力に基づいて賞球数を集計し、打込玉検出信号の入力に基づいて打込玉数を集計し、玉貸処理を行う毎に玉貸しに使用された玉貸金額を集計する集計処理を行う。さらにまた、該集計処理により集計した大当り回数、賞球数、打込玉数および玉貸金額を遊技機における遊技に関連して発生する遊技情報としてユニットＩＤとともに顧客管理コンピュータ２０に対して送信する遊技情報送信処理を行う。この遊技情報の送信は、定期的に行ってもよいし、顧客管理コンピュータ２０からの要求に応じて行われてもよい。
【００３８】
ＶＤＰ４５は、画像表示用のＩＣ（Ｉｎｔｅｇｒａｔｅｄ Ｃｉｒｃｕｉｔ，集積回路）である。ＶＤＰ４５には、画像表示をするための指令データとしての表示制御データがＣＰＵ４２から送信される。ＶＤＰ４５は、受信した表示制御データに従った画像表示をするために、画像データが記憶されたキャラクタＲＯＭ４７から必要なデータを読出す。そして、ＶＤＰ４５は、読出したデータに従ってＬＣＤ４８に表示するための画像データを生成し、その画像データをＶＲＡＭ４６に格納する。そして、ＶＲＡＭ４６内の画像データは、Ｒ（Ｒｅｄ，赤），Ｇ（Ｇｒｅｅｎ，緑），Ｂ（Ｂｌｕｅ，青）信号（ＲＧＢ信号）に変換されて、ＬＣＤ４８へ与えられる。これにより、前記集計処理により集計した各種遊技情報等の各種画像が表示される。また、タッチパネル４９の操作に応じた操作信号がＶＤＰ４５を介してＣＰＵ４２へ与えられる。ＣＰＵ４２では、タッチパネル４９から与えられた操作信号に応じて、遊技者の操作に応じた遊技情報等の画像を表示するための制御を行なう。
【００３９】
本実施例では、カード処理装置４０が、対応する遊技機３０の遊技情報を、上述したように遊技情報送信処理を行って顧客管理コンピュータ２０に送信することにより、顧客管理コンピュータ２０では、遊技場内のすべての遊技機３０を対象として遊技情報等の各種情報が管理される。たとえば、顧客管理コンピュータ２０では、各遊技機３０の遊技情報等を遊技機３０別に所定期間にわたり記憶し、各種情報についての管理を行なう。
【００４０】
また、顧客管理コンピュータ２０において管理されている各種遊技情報は、カード処理装置４０からの要求に応じて、ハブ１３０を介してカード処理装置４０に与えられる。
【００４１】
図５は、顧客管理コンピュータ２０のメモリ２３における記憶内容を示す図である。図６〜図１０のそれぞれは、図５における当日来店者テーブルＭ２，過去来店者テーブルＭ４，来店者数テーブルＴＢ１，会員情報テーブルＴＢ３，および遊技履歴テーブルＴＢ２ｉのそれぞれの内容を示す図である。
【００４２】
図５において、顧客管理コンピュータ２０のメモリ２３には、前述した当日来店者テーブルＭ２および過去来店者テーブルＭ４に追加して、来店者数テーブルＴＢ１，会員情報テーブルＴＢ３，および遊技履歴テーブルＴＢ２ｉ（ただしｉ＝１、２、３、…、ｎ）が記憶される。
【００４３】
当日来店者テーブルＭ２は、図６に示されるように、来店者数の集計を行う来店者数集計期間である営業当日に該遊技場に来店した遊技者のそれぞれについて、データ番号Ｄｉ（ただしｉ＝１、２、３、…、ｎ）と、遊技者の正面から撮像されたの顔の顔データＦＤである正面顔データＦＤＤｉ（ただしｉ＝１、２、３、…、ｎ）と、遊技者の横顔の顔データＦＤである横顔データＦＤＳｉ（ただしｉ＝１、２、３、…、ｎ）と、該遊技者が遊技をしている遊技機に対応付けられたカード処理装置４０の識別番号を示すカードユニット識別情報ＭＩＤｉ（ただしｉ＝１、２、３、…、ｎ）と、該遊技者が該遊技場で遊技していた期間を示す遊技期間ＴＭｉ（ただしｉ＝１、２、３、…、ｎ）と、該遊技者が童顔であるか否かを示す童顔フラグＣＤｉ（ただしｉ＝１、２、３、…、ｎ）とを応付けて含む。なお、本実施の形態において、「童顔」とは、顧客管理コンピュータ２０によって制限年齢未満の年齢であると推定され、遊技場の店員により制限年齢以上の年齢であることが確認された顧客であることを示す。童顔フラグＣＤｉの値は、顧客が童顔である場合に「１」となる。
【００４４】
過去来店者テーブルＭ４は、図７に示されるように、来店者数集計期間である当日よりも前、つまり昨日以前であって遊技場が定めた過去所定期間（例えば、６ケ月や１年、あるいは実施例のシステム導入後昨日までの期間であってもよい）に該遊技場に来店した遊技者のそれぞれについて、最大で５つの正面顔データＦＤＤａｉ〜ＦＤＤｅｉ（ただしｉ＝１、２、３、…、ｎ）と、１つの横顔データＦＤＳｉ（ただしｉ＝１、２、３、…、ｎ）と、童顔フラグＣＤｉ（ただしｉ＝１、２、３、…、ｎ）と、該遊技者が本遊技場にて遊技に関する不正な行為をした者および他の遊技者に対して迷惑行為を行った者などである要注意者か否かを示す要注意フラグＶＦｉ（ただしｉ＝１、２、３、…、ｎ）とを対応付けて含む。要注意フラグＶＦｉの値は、顧客が要注意者であると指定された場合に「１」となる。
【００４５】
尚、本実施例の場合、過去来店者テーブルＭ４には、遊技場の営業終了後において、図１５に示す過去来店者テーブル更新処理が実施されることにより、当日来店者テーブルＭ２に登録された顔データ（正面顔データおよび横顔データ）のうち、童顔フラグＣＤｉが「１」である童顔新規来店者の全ての顔データが新たに登録されるとともに、過去来店者テーブルＭ４に登録されていない顔データ、つまり、既に登録されている顔データと後述する類似度が同一判定閾値未満である顔データである場合に、該顔データが新たに登録され、更に、既に過去来店者テーブルＭ４に顔データが登録されている場合、つまり、既に登録されている顔データと後述する類似度が同一判定閾値以上である顔データである場合には、当該既に登録されている顔データが当日来店者テーブルＭ２の顔データにより上書き更新され、本実施例の過去来店者テーブルＭ４には最新の顔データが登録されるようになっている。
【００４６】
つまり、本実施例のメモリ２３には、後述する本発明の報知処理となるＳ３１８のステップにおいて報知処理の対象となった推定年齢が制限年齢未満と判定された来店者のうち、制限年齢に達している旨の確認がとれた来店者である童顔来店者（適正年齢確認済来店者）の顔（画像）データを登録するための当日来店者テーブルＭ２並びに過去来店者テーブルＭ４とが記憶されており、該メモリ２３によって本発明の登録手段が形成されている。
【００４７】
また、正面顔データＦＤＤａｉ〜ＦＤＤｅｉは、来店者が童顔でない場合、つまり童顔フラグＣＤｉが「０」である場合には、上述するように上書き更新されることで１つの正面顔データＦＤＤａｉのみが格納される一方、来店者が童顔である場合、つまり童顔フラグＣＤｉが「１」である場合には、上書き更新されることなく正面顔データが最大５つまで、最新の正面顔データがＦＤＤａｉ、次に新しい正面顔データがＦＤＤｂｉ、…最も古い正面顔データがＦＤＤｅｉ、となるように順次追加登録されるとともに、既に５つの正面顔データが登録されている場合には、最も古い正面顔データＦＤＤｅｉが消去され、最新の正面顔データがＦＤＤａｉに登録されるように更新される。
【００４８】
このように、本実施例の過去来店者テーブルＭ４においては、同一の来店者について、最大で５つの正面顔データを登録可能としているが、本発明はこれに限定されるものではなく、これら正面顔データの最大数を適宜増減させても良く、正面顔データの最大数を１つとしても良い。
【００４９】
また、本実施例の場合、童顔フラグＣＤｉは、後述するように年齢を確認するための処理（入口カメラ処理）において自動的に追加される。一方、要注意フラグＶＦｉは、入力部２４に入力された店員の指示に基づいて追加される。具体的には、店員の操作により当日来店者テーブルＭ２に記憶された顔データの一覧が出力部２５に表示され、その表示された顔データから店員が要報知来店者として指定した顔データに対応付けて過去来店者テーブルＭ４に記憶されている要注意フラグＶＦｉに「１」が登録される。また、これに限らず、図１６に示すように撮像画像が表示されている状態で、撮像画像上において指定された来店者の顔データに対応する要注意フラグＶＦｉに「１」が登録されてもよい。
【００５０】
尚、要報知来店者の顔データが過去来店者テーブルＭ４に記憶されていない場合には、前述した要報知来店者として指定した時点において、該要報知来店者の顔データと「１」の要注意フラグＶＦｉとが過去来店者テーブルＭ４に登録される。
【００５１】
来店者数テーブルＴＢ１は、図８に示されるように、遊技場が定めた時間帯それぞれについて、一見客（過去来店者テーブルＭ４に正面顔データＦＤＤａｉ〜ＦＤＤｅｉと横顔データＦＤＳｉとが登録されていない遊技者）の数を示す一見客データと、リピータ（過去来店者テーブルＭ４に正面顔データＦＤＤａｉ〜ＦＤＤｅｉと横顔データＦＤＳｉとが登録されている遊技者）の数を示すリピータデータと、来店した遊技者の合計を示す合計データとを含む。
【００５２】
会員情報テーブルＴＢ３は、図９に示されるように、会員それぞれに対応付けられた、会員に対して発行された会員カードの識別番号である会員ＩＤと、会員の氏名と、会員の住所と、会員の年齢と、その他の図示しない情報とを含む。
【００５３】
なお、本実施例の場合、会員登録を希望する来店者は、氏名、住所、年齢等の会員情報を会員登録用紙に記載して遊技場の店員に提示する。店員は、当該来店者に対して発行する会員カードに記録された会員ＩＤと、会員登録用紙に記載された会員情報とを顧客管理コンピュータ２０において入力する。これにより、会員情報テーブルＴＢ３に、氏名、住所、年齢等の該会員に関する会員情報が会員ＩＤに対応付けて登録される。また、この会員登録においては、会員登録を希望する来店者に対して身分証の提示を求めるなどして年齢確認が実施されることから、会員登録が許可され会員カードを所持する来店者については、制限年齢を満たしている旨の確認がとれていることになる。
【００５４】
遊技履歴テーブルＴＢ２ｉ（ただしｉ＝１、２、３、…、ｎ）は、図１０に示されるように、来店者のそれぞれについて、当日来店者テーブルＭ２に登録されている顔データと同じ正面顔データＦＤＤｉ（ただしｉ＝１、２、３、…、ｎ）と、横顔データＦＤＳｉ（ただしｉ＝１、２、３、…、ｎ）と、会員ＩＤ（会員のみ）と、来店者（会員）が遊技を行った年月日と、その日に当該来店者（会員）が玉貸しに使用した使用金額と、その日に当該来店者（会員）が獲得した獲得玉数と、その日の当該来店者（会員）の大当たり回数と、当該来店者（会員）の来店回数とを含む。ここで、使用金額および大当り回数は、それぞれカード処理装置４０から送信されてくる玉貸金額および大当り回数に基づいて集計され、獲得玉数は、カード処理装置４０から送信されてくる賞球数から打込玉数を減算することにより算出される。
【００５５】
以下、本実施例の顧客管理コンピュータ２０で実行されるプログラムによる、入口カメラ６０ａを用いた来店者の年齢確認に関する制御内容について、図１１および図１２を参照して説明する。
【００５６】
まず、ステップＳ３００にて、顧客管理コンピュータ２０の通信インターフェイス２６は、入口カメラ６０ａから画像信号ＩＭＳとその入口カメラ６０ａの識別情報とを受信する。通信インターフェイス２６は、その画像信号ＩＭＳを画像信号処理部２７に出力する。画像信号処理部２７は、顔データＦＤをＣＰＵ２１に出力する。ＣＰＵ２１は、その顔データＦＤをメモリ２３の図示しない一時記憶領域に記憶させる。
【００５７】
ステップＳ３０２においてＣＰＵ２１は、メモリ２３の一時記憶領域に記憶された顔データＦＤが示す来店者の年齢を推定する。ここで、顔データＦＤに基づいて年齢を推定する具体的手法については、例えば特開２００５−１４８８８０号公報に記載された方法を適用できるので、ここではその詳細な説明は省略する。
【００５８】
次に、ステップＳ３０４においてＣＰＵ２１は、ステップＳ３０２にて推定された来店者の年齢が制限年齢（例えば、１８歳）未満か否かを判断する。来店者の年齢が制限年齢未満と判断した場合には（ステップＳ３０４にてＹｅｓ）、処理はステップＳ３０５へと移される。もしそうでないと（ステップＳ３０４にてＮｏ）、処理はステップＳ３４６へと移される。
【００５９】
つまり、本実施例の入口カメラ処理のステップＳ３０２、３０４において、撮像装置である入口カメラ６０ａにより撮像された顔画像に基づいて来店者の年齢を推定し、推定した年齢が制限年齢である１８歳に達しているか否か判定しており、該ステップＳ３０２、３０４を実施するＣＰＵ２１によって、本発明の年齢判定手段が形成されている。
【００６０】
そして、ステップＳ３０５においてＣＰＵ２１は、メモリ２３の一時記憶領域に記憶された顔データＦＤと、童顔の本日来店者の顔データである当日来店者テーブルＭ２に記憶されている童顔フラグが「１」である各正面顔データＦＤＤｉとの類似度、並びに童顔の過去来店者の顔データである過去来店者テーブルＭ４に記憶されている童顔フラグが「１」である各正面顔データＦＤＤａｉ〜ＦＤＤｅｉとの類似度を算出する。
【００６１】
本実施例の類似度としては、双方の顔データに基づく顔画像における各種特徴量を抽出し、該抽出した各種特徴量の一致状況に基づいて類似度を算出する。より詳細には、ＣＰＵ２１は、各顔データに基づく顔画像について、例えば、目と目の間隔、あごから額までの長さと、あごから鼻までの長さの比率などの各種の顔の特徴量に基づいて、それぞれの差分和、平均比率、または比率和などを類似度として求める。
【００６２】
尚、本実施例では、これら算出される類似度の値としては、同一（類似）性が高い程、大きな値（最高値が１００で最低値が０）となるようになっているが、本発明はこれに限定されるものではなく、これら類似度の値としては、同一（類似）性が高い程、小さな値となるようなもの（指数）であっても良く、これら同一（類似）性が高い程、小さな値となる指数を用いる場合についての類似判定閾値や同一判定閾値による類似（同一）判定においては、該指数の値が類似（同一）判定閾値以下であるときに類似（同一）であると判定すれば良い。
【００６３】
そして、算出した類似度の内、最も大きい類似度の値とその顔データＦＤＤｉ（本日来店者）、ＦＤＤａｉ〜ＦＤＤｅｉ（過去来店者）とを特定し、該特定した類似度の値が、類似判定閾値、例えば８０以上であるか否か、つまり、類似判定閾値である８０以上の童顔の顔データの登録が有るか否かを判定する。
【００６４】
つまり、本実施例の入口カメラ処理のステップＳ３０５並びにステップＳ３０６においては、本発明の撮像装置である入口カメラ６０ａにより撮像された正面顔（画像）データについて、本発明の登録手段となるメモリ２３の当日来店者テーブルＭ２並びに過去来店者テーブルＭ４に登録されている、童顔フラグが「１」である童顔来店者（適正年齢確認済来店者）の各正面顔（画像）データとの類似度を算出し（ステップＳ３０５）、該算出した類似度が予め定められた類似判定閾値である８０よりも類似性が高いことを示す、類似判定閾値以上である正面顔データ（類似顔画像データ）が登録されているか否か（Ｓ３０６）を判定しており、該入口カメラ処理のステップＳ３０５並びにステップＳ３０６を実施するＣＰＵ２１によって本発明の登録判定手段が形成されている。
【００６５】
尚、本発明において、「類似度が予め定められた類似判定閾値よりも類似性が高いことを示す値」としては、算出された類似度が類似判定閾値と同じであるものも含む概念であり、よって、本実施例のＳ３０６における判定のように、登録判定手段としては、類似判定閾値以上である正面顔データが登録されているか否かを判定すれば良い。
【００６６】
尚、本実施例では、童顔フラグに「１」が登録されている本日来店者の正面顔データＦＤＤｉと、過去来店者の正面顔データＦＤＤａｉ〜ＦＤＤｅｉについてのみ、類似度を算出することで、類似判定閾値以上の童顔の顔データの登録が有るか否かを判定するようにしており、これにより判断処理に要する時間を短縮できるがことから好ましいが、本発明はこれに限定されるものではなく、当日来店者テーブルＭ２および過去来店者テーブルＭ４に登録されている全ての顔データについて類似度を算出して、類似判定閾値以上の顔データの登録が有るか否かを判定するようにしても良い。
【００６７】
つまり、本実施例では、後述するように、当日来店者テーブルＭ２および過去来店者テーブルＭ４に類似度が高い顔データが登録されているということは、当該遊技者は当日または過去に既に来店し、その際に年齢確認が行われ、制限年齢に達しているとの確認がとれている来店者である可能性が高いことになるので、例えば、Ｓ３０４のステップにおける推定年齢が制限年齢に近く、前回は制限年齢未満と判定されなかった来店者が、何らかの理由で、今回は制限年齢未満と判定された場合等においても、制限年齢に達しているとの確認がとれている来店者と判定されるようにするために、上述したように、当日来店者テーブルＭ２および過去来店者テーブルＭ４に登録されている全ての顔データについて類似度を算出して、類似判定閾値以上の顔データの登録が有るか否かを判定するようにしても良い。
【００６８】
そして、最も大きい類似度の値が類似判定閾値（８０）未満である場合、つまり、類似判定閾値以上の顔データの登録が無い場合には、Ｓ３０６のステップにおける判定にて「Ｎｏ」と判定されてＳ３１６のステップに進む一方、類似判定閾値以上の顔データの登録が有る場合には、Ｓ３０６のステップにおける判定にて「Ｙｅｓ」と判定されてＳ３０７のステップに進み、該最も大きい類似度の値が、類似判定閾値である８０よりも同一（類似）性が高いことを示す大きな値である同一判定閾値（本実施例では９０）以上であるか否かを判定する。
【００６９】
このＳ３０７の判定において、最も大きい類似度の値が同一判定閾値（９０）以上である場合には「Ｙｅｓ」と判定されてＳ３０８のステップに進む一方、最も大きい類似度の値が同一判定閾値（９０）以上でない場合には「Ｎｏ」と判定されてＳ３４１のステップに進むことで、Ｓ３４１〜Ｓ３４４のステップの処理、つまり、図１７に示す照合画面を表示して、制限年齢未満と判定した顔データＦＤの来店者と、最も大きい類似度の値の正面顔データＦＤＤｉ、ＦＤＤａｉ〜ＦＤＤｅｉの来店者とが、同一人物であるか否かの受付けを行う。
【００７０】
つまり、本発明の報知処理手段となるＣＰＵ２１は、算出された類似度が、前記類似判定閾値（８０）よりも類似性が高い値に設定された同一判定閾値（９０）よりも類似性が高いことを示す値であるか否かを判定する。尚、本発明において、「同一判定閾値（９０）よりも類似性が高いことを示す値」として、前述した「類似判定閾値よりも類似性が高いことを示す値」と同様に、算出された類似度が同一判定閾値と同じであるものも含む概念であり、よって、本実施例のＳ３０７における判定のように、報知処理手段としては、同一判定閾値以上であるか否かを判定すれば良い。
【００７１】
つまり、Ｓ３４１のステップにおいてＣＰＵ２１は、入出力インターフェイス２２を介して出力部２５であるタッチパネルディスプレイに制御信号を出力することにより、同一人物であるか否かの照合確認が必要な客が来店したことを示す情報を出力部２５であるタッチパネルディスプレイに表示させた後、Ｓ３４２のステップに進み、照合確認操作の受付け待ち状態に移行する。
【００７２】
具体的にＳ３４１のステップにおいては、図１６に示すように、「入口カメラ１」の撮像画像表示部において、要照合確認来店者の顔の部分に囲みを付すとともに、「要確認」の文字を併せて表示させることにより、照合確認の必要な来店者が来店したことが報知される。
【００７３】
尚、この報知の際、図１６の画面とともに、ＣＰＵ２１は、特定のアラート音を出力して、要照合確認来店者の来店を音により報知して照合確認を促すと同時に、店員等が顧客管理コンピュータ２０を操作可能な近傍にいない場合もあるので、該要照合確認来店者の来店をインカム７０にて報知するようになっている。
【００７４】
そして、店員等が図１６に示す撮像画像表示部において、所定の照合確認操作、具体的に本実施例では、「要確認」の文字が併せて表示された要照合確認来店者の囲み部分を、マウスまたはタッチ操作にて選択することで、該操作がＳ３４２のステップにて検知されてＳ３４３のステップに進むことで、ＣＰＵ２１は、図１７に示す照合画面を入出力インターフェイス２２を介して出力部２５であるタッチパネルディスプレイに制御信号を出力することにより、該照合画面をタッチパネルディスプレイに表示させた後、Ｓ３４４のステップに進み、照合結果の受付け待ち状態に移行する。
【００７５】
つまり、本発明の報知処理手段となるＣＰＵ２１は、本発明の登録判定手段を成すステップＳ３０６によって、類似度が類似判定閾値以上の正面顔データ（類似顔画像データ）が登録されていると判定されたことを条件として、当該類似顔画像データの顔画像とともに、撮像装置にて撮像した顔画像である正面顔データＦＤの顔画像を含む照合画面を表示する第二報知処理となるステップＳ３４３を実施するとともに、類似度が類似判定閾値（８０）よりも類似性が高い値に設定された同一判定閾値（９０）以上であるとき（同一判定閾値よりも類似性が高いことを示す値であるとき）には、第二報知処理となる照合画面の表示を実施しないようになっている。
【００７６】
本実施例の照合画面には、図１７に示すように、制限年齢未満と判定した顔データＦＤの来店者の顔画像と、当該顔データＦＤとの類似度が最も大きい値の正面顔データＦＤＤｉ、ＦＤＤａｉ〜ＦＤＤｅｉの顔画像とが含まれているとともに、画面下方部分には、「同一人物」の選択操作部１１６と、「別人」の選択操作部１１８とが設けられており、店員等の確認者は、表示されている双方の顔画像の来店者が同一人物である場合には「同一人物」の選択操作部１１６を入力する一方、表示されている双方の顔画像の来店者が同一人物でない場合には「別人」の選択操作部１１８を操作する。
【００７７】
つまり、本実施例のステップＳ３４４においては、第二報知処理であるステップＳ３４３にて表示した顔画像が同一人物である旨の入力を入力部２４を介して受付けており、該ステップＳ３４４を実施するＣＰＵ２１並びに入力部２４により本発明の同一人物受付手段が形成されている。
【００７８】
これら選択操作部１１６、１１８の操作はＳ３４４のステップにて検知されて、操作が同一人物の受付けであるか否か、つまり、「同一人物」の選択操作部１１６が操作されたか否かが判定される。
【００７９】
該判定において「Ｎｏ」、つまり、同一人物の受付けでない場合（「別人」の選択操作部１１８が操作された場合）にはＳ３１６のステップに進む一方、該判定において「Ｙｅｓ」、つまり、同一人物の受付けである場合（「同一人物」の選択操作部１１６が操作された場合）には、Ｓ３４５のステップに進み、当該顔データＦＤを、同一人物と照合された童顔来店者の顔データとして過去来店者テーブルＭ４に追加登録する顔データ追加登録処理を実施した後、Ｓ３０８のステップに進む。
【００８０】
本実施例の顔データ追加登録処理においては、同一人物と照合された正面顔データが、本日来店者の正面顔データＦＤＤｉであるか、或いは、過去来店者の正面顔データＦＤＤａｉ〜ＦＤＤｅｉであるかを判定する。
【００８１】
該判定において同一人物と照合された正面顔データが、過去来店者の正面顔データＦＤＤａｉ〜ＦＤＤｅｉである場合には、該過去来店者の全ての正面顔データが登録済み（ＦＤＤｅｉが登録済み）であるか否かを、更に判定する。
【００８２】
そして、全ての正面顔データが登録済み（ＦＤＤｅｉが登録済み）である場合には、最も古い顔データであるＦＤＤｅｉを削除するとともに、既に登録されている顔データＦＤＤａｉをＦＤＤｂｉに、顔データＦＤＤｂｉをＦＤＤｃｉにというように、既に登録されている顔データＦＤＤａｉ〜ＦＤＤｄｉを顔データＦＤＤｂｉ〜ＦＤＤｅｉに変更した後、正面顔データＦＤを顔データＦＤＤａｉとして過去来店者テーブルＭ４に追加登録するとともに、該追加登録前の顔データＦＤＤａｉが遊技履歴テーブルに記憶されている場合には、該遊技履歴テーブルの顔データＦＤＤａｉも正面顔データＦＤにて上書き更新する。
【００８３】
一方、全ての正面顔データが登録済み（ＦＤＤｅｉが登録済み）でない場合には、既に登録されている顔データＦＤＤａｉをＦＤＤｂｉに、顔データＦＤＤｂｉをＦＤＤｃｉにというように、既に登録されている各顔データの登録を変更した後、正面顔データＦＤを当該童顔来店者の顔データＦＤＤａｉとして、過去来店者テーブルＭ４に追加登録するとともに、該追加登録前の顔データＦＤＤａｉが遊技履歴テーブルに記憶されている場合には、該遊技履歴テーブルの顔データＦＤＤａｉも正面顔データＦＤにて上書き更新する。
【００８４】
また、同一人物と照合された正面顔データが、本日来店者の正面顔データＦＤＤｉである場合には、該正面顔データＦＤＤｉが過去来店者テーブルＭ４に未だ登録されていないので、本実施例では、該正面顔データＦＤを本日来店者の正面顔データＦＤＤｉに代えて上書き更新するとともに、該顔データＦＤＤｉが遊技履歴テーブルに記憶されている場合には、該遊技履歴テーブルの顔データＦＤＤｉも上書き更新する。
【００８５】
尚、本実施例では、当日来店者テーブルＭ２には、正面顔データＦＤＤｉを１つのみ記憶できるようにしているので、同一人物と照合された正面顔データＦＤを上書き更新するようにしているが、本発明はこれに限定されるものではなく、これら当日来店者テーブルＭ２も、過去来店者テーブルＭ４と同様に、複数の正面顔データを登録可能として、該正面顔データＦＤを当日来店者テーブルＭ２に追加登録するようにしても良い。
【００８６】
更には、これら同一人物と照合された正面顔データＦＤ並びに正面顔データＦＤＤｉとを、該顔データ追加登録処理の時点において、過去来店者テーブルＭ４に、童顔来店者の顔データとして新規登録するようにしても良い。（但し、この場合については、同一の童顔の顔データが過去来店者テーブルＭ４にも登録されていることを示すフラグデータを設ける等により、当日来店者テーブルＭ２および過去来店者テーブルＭ４に同一の童顔の顔データが登録されることを識別可能とすることにより、これら同一の童顔の顔データについて類似度の算出が重複して実施されることによる処理負荷の不必要な増加を回避できるようにすることが望ましい。）
【００８７】
つまり、本実施例のステップＳ３４５の追加登録処理においては、本発明の同一人物受付手段を成すステップＳ３４４にて「同一人物」の選択操作部１１６の選択操作、すなわち、同一人物である旨の入力を受付けたことを条件に、本発明の第二報知処理となるステップＳ３４３にて表示した、本発明の撮像装置である入口カメラ６０ａにて撮像された顔画像の顔（画像）データである正面顔データＦＤを、照合画面において表示された類似度が類似判定閾値以上の類似顔画像データの童顔来店者（適正年齢確認済来店者）の正面顔（画像）データＦＤＤａｉとしてメモリ２３の過去来店者テーブルＭ４に追加登録しており、該ステップＳ３４５の追加登録処理を実施するＣＰＵ２１によって、本発明の追加登録手段が形成されている。
【００８８】
これら顔データ追加登録処理を実施した後、若しくは類似度が同一判定閾値以上であることでステップＳ３０７において「Ｙｅｓ」と判定されることにより移行するＳ３０８〜Ｓ３１４のステップにおける処理について以下に説明すると、ステップＳ３０８においてＣＰＵ２１は、メモリ２３の一時記憶領域に記憶された顔データＦＤと類似度が同一判定閾値以上である、つまり、顔データＦＤと一致すると判定、或いは照合により同一人物であると判定された正面顔データＦＤＤａｉ〜ＦＤＤｅｉに対応付けられた要注意フラグＶＦｉの値が「１」か否かを判断する。要注意フラグＶＦｉの値が「１」と判断した場合には（ステップＳ３０８にてＹｅｓ）、ステップＳ３１０へと処理を移行する一方、要注意フラグＶＦｉの値が「０」と判断した場合には（ステップＳ３０８にてＮｏ）、ステップＳ３１２へと処理を移行する。
【００８９】
ステップＳ３１０においてＣＰＵ２１は、入出力インターフェイス２２を介して入力部２４兼出力部２５であるタッチパネルディスプレイに制御信号を出力することにより、要注意客が来店したことを示す情報を、図１６に示すように、出力部２５であるタッチパネルディスプレイに表示させる。
【００９０】
尚、顔データＦＤと類似度が同一判定閾値以上である、若しくは同一人物であると判定された正面顔データが、本日来店者の正面顔データＦＤＤｉである場合には、該正面顔データＦＤＤｉには、要注意フラグＶＦｉの値が対応付けて登録されていないので、Ｓ３０８のステップにおける判定は全て「Ｎｏ」と判定されてステップＳ３１２へと移行する。但し、当該正面顔データＦＤＤｉの来店者が要注意客として指定されることで、過去来店者テーブルＭ４にも要注意フラグＶＦｉ「１」とともに登録されている場合には、ステップＳ３０８にてＹｅｓと判定されることで、要注意客の来店として報知されることになる。
【００９１】
本実施例では、入力部２４兼出力部２５であるタッチパネルにおける、要注意客が来店したことを示す情報の表示としては、図１６に示すように表示される。つまり、「入口カメラ３」の撮像画像表示部において、要注意来店者の顔の部分に囲みを付すとともに、「要注意」の文字を併せて表示させることにより、要注意客が来店したことが報知される。
【００９２】
次いで、ステップＳ３１２においてＣＰＵ２１は、メモリ２３の一時記憶領域に記憶された顔データＦＤが示す来店客が来店条件と遊技履歴条件とのうち少なくとも一方を満たしたか否かを判断する。
【００９３】
具体的には、顔データＦＤと類似度が同一判定閾値以上である、若しくは同一人物であると判定された正面顔データＦＤＤｉ、ＦＤＤａｉ〜ＦＤＤｅｉに該当するＦＤＤｉ、ＦＤＤａｉに対応付けて遊技履歴テーブルに記憶されている遊技履歴を特定し、該特定した遊技履歴と来店条件と遊技履歴条件とを比較して、これら来店条件と遊技履歴条件のうち少なくとも一方を当該来店者が満たしているか否かを判断する。
【００９４】
尚、本実施例における来店条件とは、遊技履歴テーブルに登録される各来店者の来店回数に関する条件であり、例えば来店回数が５０回以上であることが条件として設定される。遊技履歴条件は、遊技履歴テーブルに登録される各来店者の遊技履歴に関する条件であり、例えば使用金額の合計が１０万円以上や、大当り回数の合計１００回以上などが条件として設定される。来店条件および遊技履歴条件の具体的な内容は特に限定されるものではなく、遊技場にとって優良な顧客を判別するために、遊技場が適宜な条件を設定すればよい。来店条件と遊技履歴条件とのうち少なくとも一方が満たされたと判断した場合には（ステップＳ３１２にてＹｅｓ）、ステップＳ３１４へ処理を移行する一方、満たされていないと判断した場合には（ステップＳ３１２にてＮｏ）、図１２のステップＳ３２５へ処理を移行する。
【００９５】
このステップＳ３１４においてＣＰＵ２１は、入出力インターフェイス２２を介して出力部２５であるタッチパネルディスプレイに制御信号を出力することにより、来店条件と遊技履歴条件とのうち少なくとも一方を満たす客が来店したことを示す情報を、出力部２５であるタッチパネルディスプレイに表示させる。具体的には、図１６に示すように、「入口カメラ２」の撮像画像表示部において、常連者の顔の部分に囲みを付すとともに、「常連客」の文字を併せて表示させることにより、優良顧客が来店したことが報知される。
【００９６】
尚、これらステップＳ３０８〜Ｓ３１４の処理は、図１１のフロー図に示すように、上述したＳ３０４のステップにおいて「Ｎｏ」、つまり、Ｓ３０２において推定された年齢が、制限年齢未満ではないと判定された場合において実施されるステップＳ３４７の判定において「Ｙｅｓ」と判定されること、すなわち、当該制限年齢以上の来店者の顔データＦＤと同一判定閾値以上の顔データが過去来店者テーブルＭ４に登録されていると判定された場合にも実施されるようになっており、これらＳ３０４のステップにおいて「Ｎｏ」と判定されることにより実施される本実施例のステップＳ３４６とＳ３４７の処理内容に関して、ここで説明する。
【００９７】
本実施例のステップＳ３４６における同一顔データ特定処理においては、まず、上述したＳ３０５のステップと同様に、来店者の正面顔データＦＤと過去来店者テーブルＭ４に登録されている童顔フラグが「１」ではない全ての正面顔データＦＤＤａｉ〜ＦＤＤｅｉとの類似度を算出し、該算出した類似度で最も高い値である顔データ、つまり、同一と思われる顔データを特定する。
【００９８】
そして、Ｓ３４７のステップに進み、ステップＳ３４６にて特定した正面顔データＦＤＤａｉ〜ＦＤＤｅｉの類似度が、前述したステップＳ３０７において用いた同一判定閾値（本実施例では９０）以上であるか否か、つまり、同一判定閾値以上の類似度である正面顔データＦＤＤａｉ〜ＦＤＤｅｉが存在するか否かを判定する。
【００９９】
そして、同一判定閾値以上の正面顔データＦＤＤａｉ〜ＦＤＤｅｉが存在しない場合には、ステップＳ３０８〜Ｓ３１４の上述した処理を実施することなく図１２のＳ３２５のステップに移行する一方、同一判定閾値以上の正面顔データＦＤＤａｉ〜ＦＤＤｅｉが存在する場合には、上述したステップＳ３０８〜Ｓ３１４の処理を実施することで、制限年齢以上と判定された来店者についても、要注意客であるか否かが判定されるとともに、当該来店者が常連客であるか否かが判定されることで、要注意客や常連客の来店が、入力部２４兼出力部２５であるタッチパネルディスプレイに表示されて報知されるようになっている。
【０１００】
一方、ステップＳ３０６の判定において「Ｎｏ」、つまり、類似判定閾値以上の顔データの登録がないと判定された場合、並びにステップＳ３４４の判定において「Ｎｏ」、つまり、「別人」の選択操作部１１８が操作された場合において実施されるステップＳ３１６以降の処理について説明すると、本実施例のステップＳ３１６においてＣＰＵ２１は、メモリ２３の一時記憶領域に記憶された顔データＦＤに対応付けて、年齢確認が必要な客の顔データＦＤであることを示す情報をメモリ２３に記憶させる。
【０１０１】
次いで、ステップＳ３１８においてＣＰＵ２１は、入出力インターフェイス２２を介して入力部２４兼出力部２５であるタッチパネルディスプレイに制御信号を出力することにより、年齢確認が必要な客が来店したことを示す情報を、出力部２５であるタッチパネルディスプレイに表示させる。
【０１０２】
具体的には、図１６に示すように、「入口カメラ１」の撮像画像表示部において、要確認来店者の顔の部分に囲みを付すとともに、「未成年」の文字を併せて表示させることにより、年齢確認の必要な要年齢確認客が来店したことが報知される。
【０１０３】
つまり、本実施例の入口カメラ処理のステップＳ３１８においては、本発明の年齢判定手段となるステップＳ３０４により、ステップＳ３０２にて推定した年齢が制限年齢である１８歳に達していないと判定され、かつ本発明の登録判定手段となるステップＳ３０６により、類似度が類似判定閾値以上の正面顔データである類似顔画像データが登録されていないと判定されたことを条件として、「未成年」の文字が併せて表示されることで、制限年齢に達していない来店者である旨が報知されており、該入口カメラ処理のステップＳ３１８を実施するＣＰＵ２１によって、本発明の報知処理手段が形成されている。
【０１０４】
そして、ステップＳ３２０においてＣＰＵ２１は、年齢確認の結果が得られたか否かを繰返し判断することで、年齢確認の結果待ち状態で待機する。
【０１０５】
具体的には、年齢確認を行った店員の所持するインカム７０から送信されてくる年齢確認結果を示す情報を、通信インターフェイス２６を介して受信するか、あるいは図１６に示す表示画面上において、年齢ＯＫボタン１１０あるいは年齢ＮＧボタン１１２が操作されることにより、操作されたボタンに応じた年齢確認を示す情報を入力部２４が受付けたときに、ＣＰＵ２１は、年齢確認の結果が得られたと判断する。年齢確認の結果が得られたと判断した場合（ステップＳ３２０にてＹｅｓ）、ステップＳ３２２に移行する。
【０１０６】
ステップＳ３２２においてＣＰＵ２１は、ステップＳ３２０で受付けた確認結果を示す情報が、制限年齢を満たす旨を示すものであるか、つまりは、要年齢確認来店者に対して店員が年齢確認をした結果、制限年齢を満たしていたか否かを判断する。制限年齢を満たしている旨の情報であったと判断した場合（ステップＳ３２２にてＹｅｓ）は、ステップＳ３２３へ処理を移行する一方、制限年齢を満たしている旨の情報でないと判断した場合（ステップＳ３２２にてＮｏ）は、メモリ２３の一時記憶領域から当該顔データＦＤを削除した上で、当該入口カメラ処理を終了する。つまり、年齢確認の結果、制限年齢を満たしていなかった来店者の顔データは、当日来店者テーブルＭ２にも過去来店者テーブルＭ４にも登録されることなく削除されるため、当該来店者が再度来店した場合には、ステップＳ３０６にて必ずＮｏと判断され、ステップＳ３１８で再度報知が行われることになる。
【０１０７】
一方、制限年齢を満たす旨である場合に実施されるステップＳ３２３においてＣＰＵ２１は、当該顔データＦＤと童顔フラグ「１」とを当日来店者テーブルに記憶した後、ステップＳ３２４において、当該顔データＦＤが、年齢確認が必要な来店者の顔データであることを示す情報をメモリ２３の一時記憶領域から削除した後、図１２のステップＳ３３６に進む。
【０１０８】
つまり、本実施例においては、当該顔データの来店者が当日において来店した旨を特定可能な来店済み情報として、当該来店者の顔データ自体を当日来店者テーブルに登録する。また、この当日来店者テーブルへの顔データの登録は、ステップＳ３１６にて要年齢確認報知の対象となった来店者のうち、ステップＳ３２０およびＳ３２２において、制限年齢を満たしている旨の確認結果を受付けた（つまりは、当該顔データについて、制限年齢を満たしている適性年齢来店者である旨の入力を受付けた）来店者の顔画像のみを対象とする。
【０１０９】
そして、ステップＳ３３６においてＣＰＵ２１は、来店者数テーブルＴＢ１が含む一見客の数と合計とを「１」増加させることにより、営業当日における新規来店者の実来店者数と全体の実来店者数とを集計する。
【０１１０】
次いで、ステップＳ３３８においてＣＰＵ２１は、遊技履歴テーブルＴＢ２ｉを追加する。追加される遊技履歴テーブルＴＢ２ｉには、計時部２８が計時した来店日を示す情報（図１０において「年月日」を示す情報）が含まれる。
【０１１１】
ステップＳ３４０においてＣＰＵ２１は、ステップＳ３３８にて作成された遊技履歴テーブルＴＢ２ｉに、当日来店者テーブルＭ２に追加された正面顔データＦＤＤｉと来店回数が１回であることを示す情報とを追加する。それらの情報が追加されると、ＣＰＵ２１は、メモリ２３の一時記憶領域から顔データＦＤを削除して、当該入口カメラ処理を終了する。
【０１１２】
また、前述のＳ３１４のステップに次いで実施されるステップＳ３２５以降の図１２に示す処理について説明すると、まず、ステップＳ３２５においては、上述したステップＳ３４６と同様に、来店者の正面顔データＦＤと当日来店者テーブルＭ２に登録されている童顔フラグが「１」ではない全ての正面顔データＦＤＤｉとの類似度を算出し、該算出した類似度で最も高い値である顔データ、つまり、同一と思われる顔データを特定する。
【０１１３】
そして、ステップＳ３２６のステップに進み、ステップＳ３２５にて特定した正面顔データＦＤＤｉの類似度が、前述した同一判定閾値（本実施例では９０）以上であるか否か、つまり、同一判定閾値以上の類似度である正面顔データＦＤＤｉが存在するか否かにより、当該来店者が、その当日において既に来店した客であるか否かを判定する。
【０１１４】
そして、メモリ２３の一時記憶領域に記憶された顔データＦＤと同一判定閾値以上の類似度である正面顔データＦＤＤｉが存在する、つまり、当該来店客がその当日において既に来店済みである場合（ステップＳ３２６にてＹｅｓ）には、メモリ２３の一時記憶領域に記憶された顔データＦＤを削除して、当該入口カメラ処理を終了する。
【０１１５】
一方、メモリ２３の一時記憶領域に記憶された顔データＦＤと同一判定閾値以上の類似度である正面顔データＦＤＤｉが存在しない、つまり、当該来店客がその当日において来店済みでない場合（ステップＳ３２６にてＮｏ）には、ステップＳ３２８へ処理を移行する。
【０１１６】
ステップＳ３２８においてＣＰＵ２１は、メモリ２３の一時記憶領域に記憶された顔データＦＤを当日来店者テーブルＭ２に含まれる正面顔データＦＤＤｉに追加登録する。つまり、本実施例においては、当該顔データの来店者が当日において来店した旨を特定可能な来店済み情報として、当該来店者の顔データ自体を当日来店者テーブルに登録する。
【０１１７】
つまり、このステップＳ３２８における当日来店者テーブルＭ２への顔データの登録は、ステップＳ３０４にて、推定年齢が制限年齢以上であると判定された来店者、並びにステップＳ３０４にて推定年齢が制限年齢未満であると判定された来店者のうち、同一判定閾値以上の顔データの登録があること、若しくは同一人物であるとの照合が得られた類似判定閾値以上の顔データの登録がある来店者のみを対象とする。
【０１１８】
尚、当日来店者テーブルＭ２へは、ステップＳ３２３において、制限年齢に達しているとの年齢確認が得られた童顔来店者の顔データが登録されるようになっており、これによって本実施例の当日来店者テーブルには、制限年齢以上であるとの確認がなされた童顔来店者並びに推定年齢が制限年齢以上であると判定された来店者の顔データのみが登録されることになり、図１５に示す過去来店者テーブル更新処理が営業終了後に実施されることで、該当日来店者テーブルに基づいて更新される過去来店者テーブルについても、同様に、同一と判定される顔データの登録が有ることで制限年齢以上であるとの確認がなされた童顔来店者並びに推定年齢が制限年齢以上であると判定された来店者の顔データのみが登録されることとなる。
【０１１９】
次に、ステップＳ３３０においてＣＰＵ２１は、当日来店者テーブルＭ２にステップＳ３２８にて追加された正面顔データＦＤＤｉが、リピータ（過去に遊技場に来店したことがある客）の顔データであるか否かを判定し、リピータの顔データである場合（ステップＳ３３０にてＹｅｓ）は、ステップＳ３３２へと処理を移行する一方、リピータの顔データでない場合（ステップＳ３３０にてＮｏ）は、ステップＳ３３６へと処理を移行する。
【０１２０】
このステップＳ３３２においてＣＰＵ２１は、来店者数テーブルＴＢ１が含むリピータの数と合計とを「１」増加させることにより、営業当日における既来店者の実来店者数と全体の実来店者数とを集計する。
【０１２１】
次いで、ステップＳ３３４においてＣＰＵ２１は、遊技履歴テーブルＴＢ２ｉのうち当日来店者テーブルＭ２に追加された正面顔データＦＤＤｉを含むものにおける、来店回数の値を「１」増加させる。併せて、ＣＰＵ２１は、当日来店者テーブルＭ２に追加された正面顔データＦＤＤｉを含む遊技履歴テーブルＴＢ２ｉに、計時部２８が計時した来店日を示す情報（図１０において「年月日」を示す情報）を追加した後、メモリ２３の一時記憶領域から顔データＦＤを削除して、当該入口カメラ処理を終了する。
【０１２２】
一方、ステップＳ３３６においてＣＰＵ２１は、来店者数テーブルＴＢ１が含む一見客の数と合計とを「１」増加させることにより、営業当日における新規来店者の実来店者数と全体の実来店者数とを集計する。
【０１２３】
次いで、ステップＳ３３８においてＣＰＵ２１は、遊技履歴テーブルＴＢ２ｉを追加する。追加される遊技履歴テーブルＴＢ２ｉには、計時部２８が計時した来店日を示す情報（図１０において「年月日」を示す情報）が含まれる。
【０１２４】
具体的にステップＳ３３８においてＣＰＵ２１は、ステップＳ３４７の判定で「Ｎｏ」と判定された新規来店者の場合については、遊技履歴テーブルＴＢ２ｉを新たに追加する一方、それ以外の来店者の場合については、既に当該来店者の遊技履歴テーブルＴＢ２ｉが存在していることになるので、ステップＳ３４６にて特定された顔データ、若しくは、ステップＳ３０７にて同一判定閾値以上であると判定された顔データ、若しくはステップＳ３４４にて照合により同一人物であると判定された正面顔データＦＤＤｉ，ＦＤＤａｉ、若しくは、同一判定閾値以上であると判定された顔データ、若しくは照合により同一人物であると判定された顔データが正面顔データＦＤＤｂｉ〜ＦＤＤｅｉである場合には、該ＦＤＤｂｉ〜ＦＤＤｅｉとともに過去来店者テーブルＭ４に記憶されているＦＤＤａｉを含む遊技履歴テーブルＴＢ２ｉを特定し、該特定した遊技履歴テーブルＴＢ２ｉについて、計時部２８が計時したその当日の来店日が追加登録されていない場合には、該当日の来店日を示す情報（図１０において「年月日」を示す情報）を追加する。
【０１２５】
そしてステップＳ３４０においてＣＰＵ２１は、ステップＳ３３８にて作成された遊技履歴テーブルＴＢ２ｉに、当該新規来店者の正面顔データＦＤＤｉ並びに横顔データＦＤＳｉ（当日来店者テーブルＭ２に登録されている場合）と来店回数が１回であることを示す情報とを追加する一方、「年月日」を示す情報を追加した場合については、追加した「年月日」に対応する「使用金額」、「獲得玉数」、「大当り回数」に初期値である「０」を登録するとともに、来店回数に１を加算更新した後、メモリ２３の一時記憶領域から顔データＦＤを削除して、当該入口カメラ処理を終了する。
【０１２６】
次に、本実施例の顧客管理コンピュータ２０で実行されるプログラムによる、場内カメラ６０ｂを用いた来店者の年齢確認に関する制御内容について、図１３を参照して以下に説明する。
【０１２７】
まず、ステップＳ３５０にて、顧客管理コンピュータ２０の通信インターフェイス２６は、場内カメラ６０ｂから画像信号ＩＭＳとその場内カメラ６０ｂの識別情報とを受信する。通信インターフェイス２６は、その画像信号ＩＭＳを画像信号処理部２７に出力する。画像信号処理部２７は、顔データＦＤをＣＰＵ２１に出力する。ＣＰＵ２１は、その顔データＦＤをメモリ２３の図示しない一時記憶領域に記憶させる。
【０１２８】
ステップＳ３５２においてＣＰＵ２１は、通信インターフェイス２６がステップＳ３５０にて受信した場内カメラ６０ｂの識別情報と場内カメラ６０ｂの撮像画像における顔データＦＤが示す顔の位置とに基づいて、遊技者が操作する遊技機３０、具体的には当該遊技機の台番号を特定する。また、顧客管理コンピュータ２０は、各遊技機の台番号に対応付けて当該遊技機に併設されるカード処理装置４０のカード処理装置識別情報（ユニットＩＤ）を記憶しており、その記憶に基づいて特定した台番号に対応するユニットＩＤを特定する。カード処理装置４０が特定されると、ＣＰＵ２１は、顔データＦＤとカード処理装置４０の識別情報とを、メモリ２３の図示しない一時記憶領域に互いに対応付けて記憶させる。
【０１２９】
つまり、本実施例のステップＳ３５２においては、遊技場（店舗）の複数箇所に設置された撮像装置である場内カメラ６０ｂによる撮像画像に基づき、来店者の位置である来店者位置として、各来店者の存在する遊技機が特定されており、該ステップＳ３５２を実施するＣＰＵ２１によって本発明の位置特定手段が形成されている。
【０１３０】
次に、ステップＳ３５４においてＣＰＵ２１は、メモリ２３の一時記憶領域を参照することにより、ステップＳ３５２にてメモリ２３に記憶された顔データＦＤが、年齢確認が必要な客の顔データＦＤであることを示す情報に対応付けて記憶された顔データＦＤと同一の人物を示すか否かを、これら年齢確認が必要な客の顔データＦＤとの類似度を算出し、当該算出した類似度が同一判定閾値以上であることにより判断する。同一の人物を示すと判断した場合（ステップＳ３５４にてＹｅｓ）、処理はステップＳ３５６へと移される。もしそうでないと（ステップＳ３５４にてＮｏ）、処理はステップＳ３６０へと移される。
【０１３１】
ステップＳ３５６においてＣＰＵ２１は、通信インターフェイス２６に、ステップＳ３５２にて特定されたカード処理装置４０に隣接して設けられた呼出ランプ５０へ宛てて、所定のランプを点灯するよう指示する旨の信号を送信させる処理を要確認来店者の位置を報知するための報知処理として行う。これにより、その呼出ランプ５０が点灯するので、年齢確認が必要な遊技者の位置を遊技場の店員は容易に知ることができる。
【０１３２】
ステップＳ３５８においてＣＰＵ２１は、店員が所持するインカム７０に対して前記ステップＳ３５２にて特定された台番号またはユニットＩＤを示す音声情報を送信する処理を要確認来店者の位置を報知するための報知処理として行う。これにより、インカム７０を所持する店員は、年齢確認が必要な遊技者の位置を容易に知ることができる。またこれに併せて、入出力インターフェイス２２を介して出力部２５であるディスプレイに制御信号を出力することにより、年齢確認が必要な遊技者の位置（台番号またはユニットＩＤ）を出力部２５に表示させる処理を報知処理として行ってもよい。
【０１３３】
つまり、本発明の報知処理手段を成すＣＰＵ２１は、本発明の位置特定手段を成すステップＳ３５２において特定した来店者位置を報知するための報知処理となるステップＳ３５６およびステップＳ３５８を実施し、ステップＳ３５６において、位置特定手段を成すステップＳ３５２において特定した遊技機に対応する呼出ランプ５０（報知装置）に対して報知指示を送信する処理を実施するとともに、ステップＳ３５８において、位置特定手段を成すステップＳ３５２において特定した来店者位置を示す情報を店員の所持するインカム７０（端末装置）に送信する処理を実施している。
【０１３４】
ステップＳ３６０においてＣＰＵ２１は、当日来店者テーブルＭ２にカード処理装置４０の識別情報を追加する。そのカード処理装置４０の識別情報は、メモリ２３の一時記憶領域に記憶された際に対応付けられた顔データＦＤと同一の遊技者の正面顔データＦＤＤｉに対応付けられる。
【０１３５】
また、顧客管理コンピュータ２０で実行されるプログラムは、カード処理装置４０からの情報の受信および登録に関し、図１４に示す情報受信処理による制御を実行する。
【０１３６】
本実施例の情報受信処理においては、図１４に示すように、まず、ステップＳ３７０においてＣＰＵ２１が、カード処理装置４０のいずれかから遊技者の会員ＩＤ（会員登録手続きを行った者に対して遊技場が発行する会員カードの識別番号）とカード処理装置４０自身の識別情報（ユニットＩＤ）とを通信インターフェイス２６が受信したか否かを判断する。それらを受信したと判断した場合（ステップＳ３７０にてＹｅｓ）、処理はステップＳ３７２へと移される。もしそうでないと（ステップＳ３７０にてＮｏ）、処理はステップＳ３７６へと移される。
【０１３７】
ステップＳ３７２においてＣＰＵ２１は、通信インターフェイス２６がステップＳ３７０にて受信した会員ＩＤが、メモリ２３に記憶された遊技履歴テーブルＴＢ２ｉのいずれかに含まれているか否かを判断する。会員ＩＤが含まれていると判断した場合（ステップＳ３７２にてＹＥＳ）、処理はステップＳ３７０へと移される。もしそうでないと（ステップＳ３７２にてＮＯ）、処理はステップＳ３７４へと移される。
【０１３８】
ステップＳ３７４においてＣＰＵ２１は、ステップＳ３７０にて受信したユニットＩＤに対応付けて当日来店者テーブルＭ２に登録されている顔データと受信した会員ＩＤとを対応付けて遊技履歴テーブルに登録する。具体的には、当該顔データが遊技履歴テーブルに既に登録されていれば、その既に登録されている顔データに対応付けて会員ＩＤを登録する。一方、当該顔データが遊技履歴テーブルに既に登録されていなければ、遊技履歴テーブルＴＢ２ｉを追加し、追加した遊技履歴テーブルＴＢ２ｉには、通信インターフェイス２６がステップＳ３７０にて受信した会員ＩＤと、計時部２８が計時した来店日を示す情報（図１０において「年月日」を示す情報）と、来店回数が１回であることを示す情報と、顔データとが登録される。ここで、顔データとしては、入口カメラ６０ａが撮像した結果得られた顔データＦＤに基づき、当日来店者テーブルＭ２に記憶されている正面顔データＦＤＤｉを登録するとともに、場内カメラ６０ｂが撮像した結果得られた顔データＦＤを横顔データＦＤＳｉとして登録する。
【０１３９】
ステップＳ３７６においてＣＰＵ２１は、前述したカード処理装置４０の遊技情報送信処理により送信された遊技情報（玉貸金額、賞球数、打込玉数、大当り回数）およびユニットＩＤを受信したか否かを判断する。遊技情報およびユニットＩＤを受信したと判断した場合には（ステップＳ３７６にてＹｅｓ）、処理はステップＳ３７８へと移される。もしそうでないと（ステップＳ３７６にてＮｏ）、処理はステップＳ３７０へと移される。
【０１４０】
ステップＳ３７８においてＣＰＵ２１は、受信したユニットＩＤに対応付けて当日来店者テーブルに登録されている顔データを遊技履歴テーブルＴＢ２ｉにおいて検索し、当該顔データに対応する遊技履歴を更新する。具体的には、遊技履歴のうち、使用金額を受信した玉貸金額分加算更新し、獲得玉数を受信した賞球数と打込玉数の差数分加算更新し、大当り回数を受信した大当り回数分加算更新する。
【０１４１】
次に、本実施例の顧客管理コンピュータ２０において、営業終了後の所定時間（本実施例では、午後１１時３０分）にプログラムに基づき実行される過去来店者テーブル更新処理について、図１５に基づいて以下に説明する。
【０１４２】
まず、本実施例の過去来店者テーブル更新処理においては、図１５に示すように、Ｓｋ１のステップにおいてＣＰＵ２１は、当日来店者テーブルＭ２から童顔フラグに「１」が登録されている制限年齢を満たす童顔の新規来店者の顔データ（正面顔データＦＤＤｉと横顔データＦＤＳｉ）とを抽出する。
【０１４３】
そして、Ｓｋ２のステップに進み、該抽出した顔データ（正面顔データＦＤＤｉと横顔データＦＤＳｉ）を過去来店者テーブルに登録する。具体的に、正面顔データＦＤＤｉをＦＤＤａｉに登録し（ｉは過去来店者テーブルに既に登録されているｉ値に基づく新たな整数値）、横顔データＦＤＳｉを過去来店者テーブルの横顔データＦＤＳｉ（ｉは過去来店者テーブルに既に登録されているｉ値に基づく新たな整数値であって、正面顔データＦＤＤａｉのｉの値と同一）として登録するとともに、当該顔データに対応する童顔フラグに「１」を登録する。この際、遊技履歴テーブルに記憶されている正面顔データＦＤＤｉについても、正面顔データＦＤＤａｉに更新する。
【０１４４】
尚、この登録の際しては、過去来店者テーブルＭ４において要注意フラグＶＦｉに「１」が登録されている顔データと、新たに登録する顔データとが一致（類似度が同一閾値以上である）するか否かを判定し、新たに登録しようとする顔データが、要報知来店者と指定されることで既に過去来店者テーブルＭ４に登録済みであるか否かが確認され、一致する場合には、既に登録されているものと判断して、当該顔データの新たな登録を実施しないことで、同一の顔データが重複して登録されることが回避されるようになっている。
【０１４５】
そして、これら抽出した制限年齢を満たす童顔の新規来店者の顔データ（正面顔データＦＤＤｉと横顔データＦＤＳｉ）の過去来店者テーブルＭ４への登録を実施した後、該抽出した制限年齢を満たす童顔の新規来店者の顔データ（正面顔データＦＤＤｉと横顔データＦＤＳｉ）を、当該遊技場を個々に識別可能な遊技場ＩＤとともに、中央管理サーバ１５０に対して送信することで（Ｓｋ３）、各遊技場に新規来店した制限年齢を満たす童顔の来店者の顔画像が、中央管理サーバ１５０に通知され、後述するように、各遊技場に対して配信されるようになる。
【０１４６】
尚、本実施例では、これら送信の完了時において、抽出した童顔フラグに「１」が登録されている顔データを、当日来店者テーブルＭ２から削除することで、以下の童顔フラグに「１」が登録されていない顔データに対する処理を、容易に実施できるようにしている。
【０１４７】
この中央管理サーバ１５０への送信が完了した後にＣＰＵ２１は、Ｓｋ４のステップに進み、当日来店者テーブルＭ２から童顔フラグに「１」が登録されていない（つまり、「０」が登録されている）顔データ（正面顔データＦＤＤｉと横顔データＦＤＳｉ）、すなわち、当日来店者テーブルＭ２に、削除されずに残存している童顔ではない来店者の顔データ（正面顔データＦＤＤｉと横顔データＦＤＳｉ）の内から、１つの顔データ（正面顔データＦＤＤｉと横顔データＦＤＳｉ）を抽出する（Ｓｋ４）。
【０１４８】
そして、該抽出した顔データ（正面顔データＦＤＤｉと横顔データＦＤＳｉ）と、既に過去来店者テーブルＭ４に登録されている各過去来店者の顔データ（正面顔データＦＤＤａｉ〜ＦＤＤｅｉ、横顔データＦＤＳｉ）との類似度（正面顔データ並びに横顔データの類似度の平均値）を算出し、同一人物である可能性のある最も類似度が高い顔データを特定する（Ｓｋ５）。
【０１４９】
そして、ステップＳｋ５にて特定した顔データの類似度が、同一判定閾値（本実施例では、正面顔データと横顔データとの類似度の平均であるので８５としている）以上であるか否か、つまり、同一判定閾値以上の類似度である顔データが存在するか否かを判定する（Ｓｋ６）。
【０１５０】
そして、同一判定閾値以上の顔データが存在しない場合（類似度が同一判定閾値未満である場合）、つまり、当該来店者が過去に来店していない新規の来店者である場合には、Ｓｋ９のステップに進んで、当該顔データを過去来店者テーブルＭ４へ追加登録するとともに、対応する童顔フラグに「０」を登録し、当該顔データを当日来店者テーブルＭ２から削除した後、Ｓｋ８のステップに進む。尚、この際、該新規の来店者の正面顔データＦＤＤｉが登録されている遊技履歴テーブルについても、正面顔データＦＤＤｉを過去来店者テーブルＭ４へ追加登録とした正面顔データＦＤＤａｉに更新する。
【０１５１】
一方、ステップＳｋ６の判定において同一判定閾値以上の顔データが存在する場合（類似度が同一判定閾値以上である場合）、つまり、当該来店者が過去に来店している来店者である場合には、Ｓｋ６のステップにて特定した過去来店者テーブルＭ４に登録されている顔データを、Ｓｋ４のステップにて当日来店者テーブルＭ２から選出した顔データに上書き更新した後、当該顔データを当日来店者テーブルＭ２から削除する。
【０１５２】
この上書き更新として具体的には、当日来店者テーブルＭ２から選出した顔データの内、正面顔データＦＤＤｉを、同一判定閾値以上であると判定された過去来店者テーブルＭ４に登録されている正面顔データのＦＤＤａｉに上書き更新するとともに、当日来店者テーブルＭ２から選出した顔データの横顔データＦＤＳｉを、同一判定閾値以上であると判定された過去来店者テーブルＭ４に登録されている横顔データＦＤＳｉに上書き更新する。尚、この際、前述したように、上書きされる前の正面顔データＦＤＤａｉは正面顔データＦＤＤｂｉに上書き変更され、上書きされる前の正面顔データＦＤＤｂｉは正面顔データＦＤＤｃｉに上書き変更されるように、順次、正面顔データが変更される。
【０１５３】
尚、この正面顔データのＦＤＤａｉに上書き更新に伴い、上書き更新前の正面顔データのＦＤＤａｉが記憶されている遊技履歴テーブルの正面顔データについても、正面顔データＦＤＤｉをＦＤＤａｉとして上書き更新する。
【０１５４】
そして、Ｓｋ８のステップに進んで、未処理の顔データが当日来店者テーブルＭ２に存在するか否か、つまり、削除されていない顔データが当日来店者テーブルＭ２に残存するか否かを判定し、未処理の顔データが存在する場合には、Ｓｋ４のステップに戻って、Ｓｋ４〜Ｓｋ８の処理を繰返し実施することで、当日来店者テーブルＭ２に登録されている童顔フラグが「０」である全ての顔データについて、Ｓｋ４〜Ｓｋ８の処理が実施されることで、新規の来店者の顔データが過去来店者テーブルＭ４に追加登録されるとともに、過去来店者が来店する毎に、当該来店者の顔データが、最新の顔データに更新されるようになっている。
【０１５５】
次に、本実施例の中央管理サーバ１５０において実施される処理について、図１８に基づいて以下に説明する。
【０１５６】
尚、本実施例に用いた中央管理サーバ１５０としては、各遊技場の顧客管理コンピュータ２０とのデータの送受や、受信した顔データの類似度によるグループ化処理等を行うプログラムが搭載された、比較的処理能力に優れたサーバコンピュータを用いている。
【０１５７】
本実施例の中央管理サーバ１５０は、図１８に示すように、各遊技場の顧客管理コンピュータ２０にて前述した過去来店者テーブル更新処理（図１５）が実施されることにより、該過去来店者テーブル更新処理のＳｋ３のステップにて送信される、制限年齢を満たす童顔の新規来店者の顔データ（正面顔データＦＤＤｉと横顔データＦＤＳｉ）と、当該遊技場を個々に識別可能な遊技場ＩＤとを受信する。
【０１５８】
尚、中央管理サーバ１５０は、各遊技場の顧客管理コンピュータ２０が、一斉にデータの送信を行うことによる不都合を解消するために、各客管理コンピュータ２０からデータの送信に先立って送信される、遊技場ＩＤを含む送信許諾要求の受信に応じて、遊技場ＩＤを含む送信許諾を適宜に返信するようになっており、該送信許諾の返信に応じて顧客管理コンピュータ２０は、データの送信を開始する。
【０１５９】
これら各遊技場の顧客管理コンピュータ２０から送信された制限年齢を満たす童顔の新規来店者の顔データ（正面顔データＦＤＤｉと横顔データＦＤＳｉ）は、遊技場ＩＤとともに、一時的に、各遊技場毎に個別に記憶される。
【０１６０】
そして、全ての遊技場の顧客管理コンピュータ２０からの童顔新規来店者の顔データの受信が完了したことに応じて中央管理サーバ１５０は、処理プログラムに基づいて、同一の来店者の顔データをグループ化するグループ化処理を実施する。
【０１６１】
具体的には、受信した各顔データ（正面顔データＦＤＤｉと横顔データＦＤＳｉ）について、顧客管理コンピュータ２０と同様に、各種特徴量を抽出し、該抽出した各種特徴量の一致状況に基づいて類似度を各顔データ毎に算出する。
【０１６２】
そして、算出した類似度が同一判定閾値（本実施例では８５）以上である顔データが存在する場合には、該顔データを同一の童顔来店者の顔データとなるようグループ化する。
【０１６３】
例えば、遊技場Ａの顔データ（正面顔データＦＤＤａと横顔データＦＤＳａ）と、遊技場Ｃの顔データ（正面顔データＦＤＤｃと横顔データＦＤＳｃ）とが、同一判定閾値以上である場合であれば、正面顔データＦＤＤａと正面顔データＦＤＤｃとが、過去来店者者テーブルに同一の童顔来店者の顔データとして登録されるように、同一人物であることを示す所定の識別データが付与された、グループ化データとして対応付けて記憶されるとともに、遊技場Ａの顔データ（正面顔データＦＤＤａと横顔データＦＤＳａ）と、遊技場Ｃの顔データ（正面顔データＦＤＤｃと横顔データＦＤＳｃ）とが、一時記憶された各遊技場の顔データから削除される。
【０１６４】
尚、グループ化データとしては、グループ化された顔データの送信元の遊技場の遊技場ＩＤのデータも、対応付けて記憶されるとともに、１つの横顔データＦＤＳｉも、対応付けて記憶されるようになっており、該横顔データＦＤＳｉとしては、当該童顔遊技者の遊技場Ａの横顔データＦＤＳａと、遊技場Ｃの横顔データＦＤＳｃの内、正面顔データＦＤＤａと正面顔データＦＤＤｃとの類似度が高い方の横顔データを選択するようになっている。
【０１６５】
尚、上記した例では、同一判定閾値以上である顔データが２つの場合を例示したが、これが３つ以上であっても良い。
【０１６６】
これら同一の童顔来店者の顔データのグループ化を実施した後に中央管理サーバ１５０は、各遊技場から受信した童顔新規来店者の顔データ（登録顔データ）を、送信元の遊技場以外の他の遊技場の顧客管理コンピュータ２０に対して配信するとともに、全ての遊技場に対してグループ化データ（登録顔データ）を配信する。
【０１６７】
具体的には、遊技場Ａから受信して一時記憶した童顔新規来店者の顔データ（登録顔データ）を、遊技場Ａ以外の他の遊技場の顧客管理コンピュータ２０に対して配信し、遊技場Ｂから受信して一時記憶した童顔新規来店者の顔データ（登録顔データ）を、遊技場Ｂ以外の他の遊技場の顧客管理コンピュータ２０に対して配信するというように、登録顔データを送信元の遊技場以外の他の遊技場の顧客管理コンピュータ２０に対して配信する。
【０１６８】
そして、この登録顔データの配信に応じて各遊技場の顧客管理コンピュータ２０（ＣＰＵ２１）は、受信した登録顔データを過去来店者テーブルＭ４へ登録する。
【０１６９】
具体的には、図１８に示すように、受信した登録顔データの内、グループ化データを特定するとともに、当該グループ化データに含まれる遊技場ＩＤが、自己の遊技場ＩＤに一致するか否かを判定する。
【０１７０】
そして、自己の遊技場ＩＤに一致しない場合は、当該グループ化データに含まれる各正面顔データと横顔データ並びに童顔フラグ「１」とを、過去来店者テーブルＭ４に追加登録する一方、自己の遊技場ＩＤに一致する場合には、当該グループ化データに含まれる正面顔データに一致する過去来店者テーブルＭ４に、登録されている童顔フラグ「１」を有する正面顔データを特定する。
【０１７１】
そして、特定した正面顔データの童顔来店者の他の正面顔データとして、受信した当該グループ化データに含まれる特定した正面顔データ以外の正面顔データを追加登録するとともに、受信した当該グループ化データに含まれる横顔データを、特定した正面顔データに対応する横顔データとして上書き更新する。
【０１７２】
次いで、受信した登録顔データの内、グループ化データではない各顔データ（正面顔データと横顔データ）並びに童顔フラグ「１」とを、過去来店者テーブルＭ４に追加登録する。
【０１７３】
つまり、本実施例の年齢認証システムは、各遊技場（店舗）に設置された顧客管理コンピュータ２０（年齢認証装置）とデータ通信可能に接続され、本発明の登録手段となるメモリ２３の当日来店者テーブルＭ２に登録されている童顔来店者の顔（画像）データを各遊技場（店舗）の顧客管理コンピュータ２０（年齢認証装置）から収集し、該収集した顔（画像）データを各遊技場（店舗）の顧客管理コンピュータ２０（年齢認証装置）に対して配信する中央管理サーバ１５０（管理装置）を備え、各遊技場（店舗）の顧客管理コンピュータ２０（年齢認証装置）は、中央管理サーバ１５０（管理装置）から配信される顔（画像）データを、メモリ２３の過去来店者テーブルＭ４に追加登録するようになっている。
【０１７４】
最後に、図１６を参照して出力部２５に表示される表示画面を説明する。該表示画面には、各入口カメラ６０ａの撮像画像が表示されるともに、その撮像画像上において前述したような各種の報知画像が表示されている。また、その右端部には、要確認である旨が表示されている来店者が、年齢確認の結果、制限年齢を満たしていない場合に操作される「年齢ＯＫ」ボタン１１０と制限年齢を満たしていなかった場合に操作される「年齢ＮＧ」ボタン１１２とが設けられるとともに、その下部には「カメラ切替」ボタン１１４が設けられている。この「カメラ切替」ボタン１１４が操作されると、表示される撮像画像が入口カメラ６０ａのものから、場内カメラ６０ｂの撮像画像に切り替わる。また、各撮像画像上において、店員が来店者を指定する操作を行うと、当該指定された来店者の顔画像に一致する顔データが遊技履歴テーブルから検索され、その顔データに対応付けて登録されている遊技履歴（使用金額、獲得玉数および大当り回数）および来店回数が表示画面上に併せて表示され、この表示内容を確認することで常連客等の来店を迅速に判断できる。
【０１７５】
以上、本実施例の年齢認証システムによれば、制限年齢に達していないと推定される来店者であっても、適正年齢確認済来店者として、当日来店者テーブルＭ２若しくは過去来店者テーブルＭ４に顔（画像）データが登録されていれば、該登録されている顔（画像）データが類似顔画像データとして判定されることによって報知処理が実施されなくなるので、一旦、制限年齢に達している旨の確認がとれた来店者に対して繰り返し年齢確認が行われ、該来店者に不快感を与えてしまうという事態、並びにこれら不快感を与えることによる来店者の減少を回避できる。
【０１７６】
また、本実施例の年齢認証システムによれば、類似判定閾値以上であって同一判定閾値未満の顔データが登録されている場合には、顧客管理コンピュータ２０において、自動的に照合画面が表示されるようになるので、当該来店者の所在場所に出向くことなく係員等が目視にて同一人物であるか否かを判断できるようになるので、来店者が適正年齢確認済来店者であるか否かの判定精度を向上できるとともに、これら同一人物確認に要する負荷も低減することができる。
【０１７７】
また、本実施例の年齢認証システムによれば、算出された類似度が同一判定閾値以上である場合、つまり、登録されていると判定された類似顔（画像）データの顔画像と撮像装置により撮像した顔画像とが、同一人物である可能性が著しく高い場合については、第二報知処理となる照合画面が表示されないので、照合画面に表示された顔画像が同一人物であるか否かを判断する係員等の手間を省くことができる。
【０１７８】
また、本実施例の年齢認証システムによれば、同一（１人）の童顔来店者（適正年齢確認済来店者）について、複数の顔（画像）データが追加登録されることにより、これら追加登録された各顔（画像）データとの類似度により、登録判定手段となる顧客管理コンピュータ２０による類似する顔（画像）データの有無判定が実施されることになるので、これら顧客管理コンピュータ２０（登録判定手段）による判定精度を向上できる。
【０１７９】
また、本実施例の年齢認証システムによれば、いずれかの遊技場（店舗）にて制限年齢に達している旨の確認がとれていれば、他の遊技場（店舗）においても童顔来店者（適正年齢確認済来店者）であると判定されるようになるので、当該来店者が、他の遊技場（店舗）において年齢確認を再度受けることを極力解消でき、該来店者に不快感を与えてしまうという事態、並びにこれら不快感を与えることによる来店者の減少を、さらに回避できる。
【０１８０】
また、本実施例の年齢認証システムによれば、場内カメラ６０ｂによる撮像画像に基づいて来店者位置を特定し、その位置を報知するので、遊技場は、制限年齢に達していないと推定される来店者を容易に特定できる。制限年齢に達していないと推定される来店者が容易に特定されるので、迅速に年齢確認を実施できる。
【０１８１】
また、本実施例の年齢認証システムによれば、呼出ランプ５０を動作させることにより、制限年齢に達していないと推定される来店者の位置を店員に報知する。これにより、フロア店員が年齢確認の必要な来店者を容易に特定でき、迅速に年齢確認を実施できる。
【０１８２】
また、本実施例の年齢認証システムによれば、来店者位置をインカム７０に送信することにより、制限年齢に達していないと推定される来店者の位置を店員に報知する。これにより、店員が年齢確認の必要な来店者を容易に特定でき、迅速に年齢確認を実施できる。
【０１８３】
以上、本発明の実施例を図面により説明してきたが、具体的な構成はこれら実施例に限られるものではなく、本発明の要旨を逸脱しない範囲における変更や追加があっても本発明に含まれる。
【０１８４】
例えば、前記実施例では、照合画面において「別人」の選択操作部１１８の操作を受付けたときには、ステップＳ３１６に移行して、類似度が類似閾値以上の顔データが存在しない場合と同様に、「未成年」の報知を実施するようにしているが、本発明はこれに限定されるものではなく、「別人」の選択操作部１１８の操作を受付けた該照合画面に、「年齢ＯＫ」と「年齢ＮＧ」の選択操作部を更に表示して、当該来店者が、童顔来店者であるか否かを、直接受付けるようにしても良い。
【０１８５】
また、前記実施例では、中央管理サーバ１５０を個別に設けた形態を例示したが、本発明はこれに限定されるものではなく、これら中央管理サーバ１５０の機能を、遊技場に設けられた１の顧客管理コンピュータ２０が実施するようにしても良い。
【０１８６】
また、前記実施例では来店者の顔画像について、初めに年齢の推定処理を実施して、推定年齢が制限年齢以上か否かを判定し、該推定年齢による判定の後に、制限年齢に達していないと判定された顔画像について類似判定閾値による判定を実施するようにしているが、本発明はこれに限定されるものではなく、撮像された全ての顔画像について、初めに類似判定閾値による判定を実施した後に、類似度が類似判定閾値未満の来店者について、年齢の推定処理を実施して、推定年齢が制限年齢以上か否かを判定するようにしても良い。
【０１８７】
また、前記実施例では、当日来店者テーブルＭ２に登録された童顔新規来店者の顔データのみを中央管理サーバ１５０に対して送信するようにしているが、本発明はこれに限定されるものではなく、例えば、ステップＳ３４５の顔データ追加登録処理にて追加登録される童顔来店者の顔データ並びに当該童顔来店者の既に登録されている顔データとを併せて中央管理サーバ１５０に送信し、該中央管理サーバ１５０が、当該遊技場以外の他の遊技場の顧客管理コンピュータ２０に対して、追加登録される童顔来店者の顔データ並びに当該童顔来店者の既に登録されている顔データを配信することで、他の遊技場の顧客管理コンピュータ２０においても、既に登録されている童顔来店者の顔データに、該配信された新たな顔データが追加登録されるようにしても良い。
【０１８８】
また、前記実施例では、図１５に示す過去来店者テーブル更新処理において、制限年齢を満たす来店者の正面顔データＦＤＤａｉが、該来店者が来店した遊技場の顧客管理コンピュータ２０においてのみ、新しい正面顔データに更新されるようにしているが、本発明はこれに限定されるものではなく、これら過去来店者テーブル更新処理において、更新前の正面顔データＦＤＤａｉと、新たな正面顔データＦＤＤｉとを対応付けて顧客管理コンピュータ２０に対して送信し、該顧客管理コンピュータ２０が他の遊技場の顧客管理コンピュータ２０に配信することで、１の遊技場に来店するのみで、全ての遊技場の顧客管理コンピュータ２０における当該来店者の顔データが、最新の顔データに更新されるようにしても良い。
【０１８９】
また、前記実施例では、年齢確認により制限年齢未満と確認された来店者の顔データを登録していないが、本発明はこれに限定されるものではなく、これら制限年齢未満と確認された来店者の顔データも、制限年齢違反来店者として登録しておき、年齢推定処理にて推定した年齢が制限年齢未満である場合に、該来店者の顔データと制限年齢違反来店者の顔データとの類似度並びに同一判定閾値に基づく同一判定を実施して、当該来店者が制限年齢違反来店者と同一人物であると判定されたときには、インカム７０にて、制限年齢違反来店者の来店があったことを迅速に報知して、これら制限年齢違反来店者の入店に迅速に対応できるようにしても良い。
【０１９０】
また、前記実施例では、登録顔データを、送信元以外の他の遊技場の顧客管理コンピュータ２０に対して送信するようにしているが、本発明はこれに限定されるものではなく、送信元を含む全ての遊技場の顧客管理コンピュータ２０に登録顔データを送信するようにし、該登録顔データを受信した顧客管理コンピュータ２０において、自遊技場から送信した登録顔データを識別し、該自遊技場から送信した登録顔データ以外の登録顔データを、過去来店者テーブルＭ４に追加登録するようにしても良い。
【０１９１】
また、前記実施例のステップＳ３２２にて制限年齢以上の客の顔を示していないと判断された場合において、通信インターフェイス２６に対し、会員カードの受付けを停止するための制御信号をカード処理装置４０に送信させてもよい。通常の場合、制限年齢未満の客は会員カードを持っていないので、カード処理装置４０会員カードの受付けを停止する必要はない。しかしながら、正規の会員が所有する会員カードを盗んで使用することが考えられるとき、正規の会員と遊技場とが被害を被ることを防止するため、このような制御を行うことが望ましい。
【０１９２】
また、前記実施例のステップＳ３５６においてＣＰＵ２１は、呼出ランプ５０へ宛てて報知指示信号を送信させることに代え、カード処理装置４０へ宛てて報知指示信号を送信させてもよい。そして、報知指示信号を受信したカード処理装置４０において、ＬＣＤ４８にて年齢確認が必要な旨を表示したり、当該来店者の顔画像を表示させる報知処理を行ってもよい
【０１９３】
また、前記実施例のステップＳ３５８においてＣＰＵ２１は、インカム７０へ宛てて音声信号を送信させることに代え、店員に画像表示機能を有する端末装置を所持させ、当該端末装置に対して年齢確認が必要な来店者の存在する台番号と顔画像とを送信するようにしてもよい。
【０１９４】
また、前記実施例においては、顧客管理サーバ２０の表示画面に表示されている撮像画像上において、年齢確認が必要である旨の報知が行われている来店者の顔画像について、同画面上において適正年齢来店者の顔画像である旨の入力を受付けたが、本発明はこれに限定されるものではなく、報知処理の対象となった来店者の顔画像の一覧を表示し、その一覧の中から適正年齢来店者の顔画像の指定を受付けてもよい。
【０１９５】
また、前記実施例においては、顧客管理サーバ２０の表示画面に表示されている撮像画像上において、照合確認が必要である旨の報知が行われている来店者の顔画像について操作が行われたことを条件に、照合画面を表示して同一人物であるか否かを受付けているが、本発明はこれに限定されるものではなく、照合確認が必要である来店者の顔画像についての操作が行われなくとも、自動的に照合画面を表示したり、これら照合確認が必要である来店者が複数存在する場合には、複数の来店者の顔画像と、当該顔画像と類似判定閾値以上の類似度を有する登録済みの顔データによる顔画像とを一覧表示し、複数の来店者の照合確認を同時に受付けできるようにしても良い。
【０１９６】
また、前記実施例においては、報知装置としての呼出ランプ５０が遊技機１台に対して１台設けられていたが、これに限定されるものではなく、遊技機複数台（例えば、２台）に対して１台の呼出ランプ５０を設けてもよい。
【０１９７】
また、前記実施例においては、店としてパチンコ機やスロットマシン等の遊技機が設置される遊技場を例にとり鋭明したが、年齢制限が設けられている店であれば、どのような店であってもよく、例えば、ゲームセンターや競馬場、あるいは酒類が提供される飲食店であってもよい。
【０１９８】
また、前記実施例においては、来店者が営業当日（来店者数集計期間）に来店済みであることを特定可能な来店済み情報として、当該来店者の顔画像データ自体を当日来店者テーブルに登録しているが、これに限定されるものではなく、例えば、過去来店者テーブルの各顔画像データに対応付けてＩＤを登線しておき、当日来店した来店者については、該来店者の顔画像データに対応するＩＤのみを来店済み情報として、当日来店者テーブルに登録してもよい。
【０１９９】
また、前記実施例においては、会員カードを受付けて処理する記録媒体処理装置として、各遊技機に併設されるカード処理装置４０が説明されているが、これに限定されず会員カードを受付けて処理する装置であればよく、例えば遊技機設置島の端部等に設置され、会員カードを受付けて、当該会員に対して情報を提供する情報提供装置であってもよい。
【０２００】
また、前記実施例においては、顧客管理コンピュータ２０における年齢確認が必要である旨の報知（ステップＳ３１６）、要注意客が来店した旨の報知（ステップＳ３１０）、常連客が来店した旨の報知（ステップＳ３１４）および要照合確認客が来店した旨の報知（ステップＳ３４１）が出力部２５であるタッチパネルディスプレイに表示することにより行われたが、これに限らず、例えば音声により報知が行われてもよいし、他の表示端末装置に報知信号を送信するようにしてもよい。
【０２０１】
また、前記実施例においては、入口カメラ６０ａで撮像された顔画像に基づいて、要確認顔データとして登録されると、その後場内カメラ６０ｂで撮像されたときに、当該顔画像の来店者が存在する遊技機の台番号（またはユニットＩＤ）が報知された。しかし、子供等の場合には、遊技機で遊技を行うことなく店内を動き回ることもあるので、入口カメラ６０ａで撮像され、年齢確認が必要と判定きれた来店者については、その後各入口カメラ６０ａおよび場内カメラ６０ｂの撮像画像上で追跡し、当該来店者の存在位置を常時報知するようにしてもよい。
【０２０２】
また、前記実施例においては、顔画像データにのみ基づいて年齢が推定されたが、これに限らず、例えば顔面像データに加えて、来店者の身長や性別を撮像画像上で特定し、それらを加味して年齢を推定してもよい。
【０２０３】
また、前記実施例の当日来店者テーブル、過去来店者テーブルおよび遊技履歴テーブルにおいては、来店者の顔データ（顔画像データ）として、正面顔データと横顔データの両方を登録しているが、いずれか一方のみを登録するようにしてもよい。
【０２０４】
また、前記実施例においては、来店者数として実来店者数のみを集計し、出力可能としているが、これに加えて延べ来店者数も集計し、出力可能としてもよい。具体的には、図１２のステップＳ３２６における本日来店済みか否かの判定に先立って、ステップＳ３３０と同様にリピータであるか否かを判定するステップを追加し、リピータであると判定されれば、リピータの延べ来店者数を加算更新し、リピータでないと判定されれば、一見客の延べ来店者数を加算更新し、これらに併せて全体の延べ来店者数を加算更新すればよい。
【０２０５】
また、前記実施例においては、前述したように、算出される類似度の値が、類似判定閾値や同一判定閾値以上であることにより、類似或いは同一と判定するようにしているが、本発明はこれに限定されるものではなく、これら算出される類似度の値が、類似判定閾値や同一判定閾値よりも大きいこと（算出される類似度が、同一（類似）性が高い程、小さな値となる指数である場合には、類似判定閾値や同一判定閾値よりも小さいこと）により、類似或いは同一と判定する、つまり、類似度の値が類似判定閾値や同一判定閾値と同じである場合には、類似或いは同一と判定しないようにしても良い。
【０２０６】
また、前記実施例では、算出された類似度が類似判定閾値以上の正面顔データが登録されているか否かを先ず判定した（Ｓ３０６）後に、更に算出された類似度が同一判定閾値以上であるか否かを判定する（Ｓ３０７）ようにしているが、本発明はこれに限定されるものではなく、逆に、算出された類似度が同一判定閾値以上である正面顔データが登録されているか否かを先ず判定した後に、該登録がないときに、該算出された類似度が類似判定閾値以上である正面顔データが登録されているか否かを判定するようにしても良い。
【０２０７】
また、本件発明は、上述したように、同一の来店者に対して繰り返し年齢確認が行われ、当該来店者に不快感を与えてしまうという事態、並びにこれら不快感を与えることによる来店者の減少を回避することのできる年齢認証システムを提供することを課題としているが、これらの課題以外に、以下の第二〜第四の課題を解決することもできる。
【０２０８】
つまり、特開２００７−２０６５３号公報には、カメラから画像データを取得し、取得した画像データから顔情報を取得し、取得した顔情報に基づいて来店者数を集計する顧客分析管理装置が開示されている。
【０２０９】
しかし、この発明によると、来店者数の集計期間（例えば、１営業日）に同一人が複数回来店した場合に、その都度来店者数の加算が行われるため、実来店者数を正確に集計できないという問題点がある。
【０２１０】
よって前記実施形態に記載された発明は、このような問題点にも着目してなされたもので、実来店者数を正確に集計することのできる来店者管理システムを提供することを目的としている。
【０２１１】
この第二の課題を解決するために、前記実施形態に記載された発明は、来店者の顔を撮像する撮像装置と、該撮像装置により撮像された来店者の顔画像に基づいて来店者数を集計管理する管理装置とを備え、前記管理装置は、予め定められた来店者数集計期間に前記撮像装置により撮像された顔画像に基づいて該顔画像の来店者が来店した旨を特定可能な情報である来店済み情報を登録する来店済み情報登録手段と、前記撮像装置により撮像された顔画像の来店者について、前記来店済み情報が前記来店済み情報登録手段に登録されているか否かを判定する来店判定手段と、該来店判定手段により登録されていないと判定されたことを条件として来店者数を加算更新する実来店者数集計手段とを含むことを特徴とする来店者管理システムである。
このような構成によれば、撮像装置により撮像された顔画像の来店者について、来店済み情報が来店済み情報登録手段に登録されているか否かを判定し、来店済み情報が登録されていないと判定されると、来店者数を加算更新する。これにより、来店済みの人物が店に出入りするたびに来店者数が増加するという事態は回避される。その結果、実来店者数を正確に集計できる。
【０２１２】
また、前記実施形態に記載された発明においては、以下のような構成を含むようにしてもよい。つまり、前記管理装置は、前記来店者数集計期間よりも前の過去所定期間において来店した来店者の顔画像データを登録する既来店者登録手段と、前記撮像装置により撮像された来店者の顔画像データが前記既来店者登録手段に登録されているか否か判定する既来店判定手段と、を有し、前記実来店者数集計手段は、前記来店判定手段により来店済み情報が登録きれていないと判定され、かつ前記既来店判定手段により顔画像データが登録されていると判定されたことを条件として既来店者数を加算更新する一方、前記来店判定手段により来店済み情報が登録されていないと判定され、かつ前記既来店判定手段により顔画像データが登録されていないと判定されたことを条件として新規来店者数を加算更新する。
このような構成によれば、撮像装置により撮像された顔画像の来店者について、過去所定期間において来店した来店者と判定されたか否かに応じて、既来店者数と新規来店者数とのうち一方を加算更新する。これにより、既来店者の来店が多いのか、新規来店者が多いのか、容易に知ることができる。
【０２１３】
また、前記実施形態に記載された発明においては、以下のような構成を含むようにしてもよい。つまり、前記管理装置は、前記来店者の顔画像データに対応付けて、当該来店者の来店回数を管理する来店者別来店回数管理手段と、前記来店判定手段により来店済み情報が登録されていないと判定されたことを条件として、判定の対象となった来店者の顔画像データに対応付けて管理されている来店回数を加算更新する来店者別来店回数集計手段と、を有する。
このような構成によれば、各来店者の来店回数を把握することができる。これにより、例えば来店回数に応じたサービスの提供等が可能となる。
【０２１４】
また、前記実施形態に記載された発明においては、以下のような構成を含むようにしてもよい。つまり、前記管理装置は、前記撮像装置の撮像画像を表示する表示手段と、該表示手段に表示された撮像画像において、来店者の指定を受付ける来店者指定手段と、を有し、該来店者指定手段にて指定を受付けた来店者の顔画像データに対応付けて管理されている来店回数または遊技履歴を前記表示手段に表示する。
このような構成によれば、来店者の来店回数または遊技履歴を来店時点で把握し、迅速な対応が可能となる。
【０２１５】
また、前記実施形態に記載された発明においては、以下のような構成を含むようにしてもよい。つまり、前記管理装置は、前記撮像装置により撮像された来店者の顔画像データに対応付けて管理されている来店回数または遊技履歴が予め定められた報知条件を満たしていることを条件として報知処理を行う報知処理手段を有する。
このような構成によれば、来店回数または遊技履歴が予め定められた報知条件を満たしている来店者が来店すると、そのことが報知される。これにより、来店回数または遊技履歴が報知条件を満たしている来店者を迅速に把握し対応が可能となる。
【０２１６】
また、従来、会員登録を行った遊技者については、カード処理装置において会員カードが使用されることにより、当該会員カードの会員ＩＤとともに遊技情報を収集し、該会員ＩＤに対応付けて当該会員の遊技履歴を収集・管理することができた。
【０２１７】
しかし、会員登録を行っていない遊技者については、遊技履歴を収集・管理することができないという問題があった。
【０２１８】
よって前記実施形態に記載された発明は、このような問題点にも着目してなされたもので、会員登録を行っていない遊技者についても、遊技履歴を収集・管理することのできる来店者管理システムを提供することを第三の目的としている。
【０２１９】
この第三の課題を解決するために、前記実施形態に記載された発明は、前記撮像装置は、店内に複数設置される遊技機の周辺を撮像可能な撮像装置を含み、前記管理装置は、前記遊技機における遊技に関連して発生する遊技情報を収集する遊技情報収集手段と、前記撮像装置の撮像画像に基づいて、前記来店者が遊技を行っている遊技機を特定する遊技機特定手段と、該遊技機特定手段により特定した遊技機について前記遊技情報収集手段により収集した遊技情報を前記来店者の遊技履歴として集計する遊技履歴集計手段と、該来店者の顔画像データに対応付けて前記遊技履歴集計手段により集計された遊技履歴を管理する遊技履歴管理手段と、を有することを特徴とする来店者管理システムである。
このような構成によれば、会員登録を行っていない来店者についても、遊技履歴を収集・管理することができる。これにより、例えば会員登録を行っていない来店者についても遊技履歴に応じたサービスの提供等が可能となる。
【０２２０】
また、従来、会員登録を行った遊技者については、会員カードの会員ＩＤに対応付けて氏名、住所等の会員情報が管理されていた。
【０２２１】
しかし、当該会員の顔画像については、会員登録時に顔画像の撮影等の手間を会員にかけるのを回避するため、管理することができなかった。
【０２２２】
よって前記実施形態に記載された発明は、このような問題点にも着目してなされたもので、会員登録時に顔画像の撮影等の手間を会員にかけることなく、各会員の顔画像を管理することのできる会員管理システムを提供することを第四の目的としている。
【０２２３】
この第四の課題を解決するために、前記実施形態に記載された発明は、前記管理装置は、会員登録を行った会員に対して発行される記録媒体に記録され、当該会員を個々に識別するための識別情報に対応付けて該会員に関する会員情報を管理する会員情報管理手段を有し、前記撮像装置は、店内に設置され前記記録媒体を受付けて処理する記録媒体処理装置の周辺を撮像可能な撮像装置を含み、前記管理装置は、前記記録媒体処理装置にて受付けられた記録媒体の識別情報を受信したことに基づいて、前記撮像装置により撮像された該記録媒体を所有する来店者の顔画像データと前記受信した識別情報とを対応付けて管理することを特徴とする会員管理システムである。
このような構成によれば、会員登録時に顔画像の撮影等の手間をかけることなく、来店者の顔画像データと識別情報とを対応付けて管理することができる。
【図面の簡単な説明】
【０２２４】
【図１】本発明の実施例における年齢認証システムの構成を示すシステム構成図である。
【図２】本発明の実施例に用いた入口カメラおよび場内カメラの配置を示す図である。
【図３】本発明の実施例に用いた画像信号処理部のブロック構成図である。
【図４】本発明の実施例における年齢認証システムを構成する各装置のブロック図である。
【図５】本発明の実施例に用いた顧客管理サーバのメモリにおける記憶内容を示す図である。
【図６】本発明の実施例に用いた当日来店者テーブルの内容を示す図である。
【図７】本発明の実施例に用いた過去来店者テーブルの内容を示す図である。
【図８】本発明の実施例に用いた来店者数テーブルＴＢ１の内容を示す図である。
【図９】本発明の実施例に用いた会員情報テーブルの内容を示す図である。
【図１０】本発明の実施例に用いた遊技履歴テーブルの内容を示す図である。
【図１１】本発明の実施例に用いた入口カメラを用いた来店者の年齢確認処理の制御の手順を示す第１のフローチャートである。
【図１２】本発明の実施例に用いた入口カメラを用いた来店者の年齢確認処理の制御の手順を示す第２のフローチャートである。
【図１３】本発明の実施例に用いた場内カメラを用いた来店者の年齢確認処理の制御の手順を示すフローチャートである。
【図１４】本発明の実施例における情報の受信処理および登録処理の制御の手順を示すフローチャートである。
【図１５】本発明の実施例に用いた顧客管理サーバにおいて実施される過去来店者テーブル更新処理の処理内容を示すフローチャートである。
【図１６】本発明の実施例に用いた顧客管理サーバのタッチパネルの表示例を示す図である。
【図１７】本発明の実施例に用いた顧客管理サーバのタッチパネルの表示例を示す図である。
【図１８】本発明の実施例に用いた顧客管理サーバと中央管理装置との情報の送受状況を示す説明図である。
【符号の説明】
【０２２５】
２０              顧客管理サーバ
２１              ＣＰＵ
２２              入出力インターフェイス
２３              メモリ
２４              入力部
２５              出力部
２６              通信インターフェイス
２７              画像信号処理部
３０              遊技機
３１              遊技制御用マイクロコンピュータ
３２              インターフェイス
４０              カード処理装置
４１              カードユニット制御用マイクロコンピュータ
４２              ＣＰＵ
４３              ＲＯＭ
４４              ＲＡＭ
４５              ＶＤＰ
４６              ＶＲＡＭ
４７              キャラクタＲＯＭ
４８              ＬＣＤ
４９              タッチパネル
５０              呼出ランプ
６０ａ            入口カメラ
６０ｂ            場内カメラ
７０              インカム
７１              ＣＰＵ
７２              入出力インターフェイス
７４              マイク
７５              スピーカ
１００            画像メモリ
１０１            ２値化処理部
１０２            顔領域決定部
１０３            顔データ抽出部
２００            カードリーダライタ
２０１            貨幣識別機
【図１】
0005047847.tif 000002
【図２】
0005047847.tif 000003
【図３】
0005047847.tif 000004
【図４】
0005047847.tif 000005
【図５】
0005047847.tif 000006
【図６】
0005047847.tif 000007
【図７】
0005047847.tif 000008
【図８】
0005047847.tif 000009
【図９】
0005047847.tif 000010
【図１０】
0005047847.tif 000011
【図１１】
0005047847.tif 000012
【図１２】
0005047847.tif 000013
【図１３】
0005047847.tif 000014
【図１４】
0005047847.tif 000015
【図１５】
0005047847.tif 000016
【図１６】
0005047847.tif 000017
【図１７】
0005047847.tif 000018
【図１８】
0005047847.tif 000019